(57)【要約】  本開示の情報表示装置は、ユーザが視聴している映像番組に関連する番組関連情報を取得する通信インタフェース（２１）と、メタデータ表示領域（３１）および範囲外広告表示領域（３２）を有する表示部（２３）と、通信インタフェース（２１）により取得された番組関連情報の内、映像番組に連動した第１の番組関連情報を選択してメタデータ表示領域（３１）に表示させ、第１の番組関連情報として選択されない番組関連情報から第２の番組関連情報を選択して範囲外広告表示領域（３２）に表示させる制御部（２２）と、を備える。
2013121475.tif 000002
【特許請求の範囲】
【請求項１】
ユーザが視聴している映像番組に関連する番組関連情報を取得する取得部と、
第１の情報表示領域および第２の情報表示領域を有する表示部と、
前記取得部により取得された番組関連情報の内、前記映像番組に連動した第１の番組関連情報を選択して前記第１の情報表示領域に表示させ、前記第１の番組関連情報として選択されない番組関連情報から第２の番組関連情報を選択して前記第２の情報表示領域に表示させる制御部と、を備える、
情報表示装置。
【請求項２】
前記制御部は、前記映像番組に連動して新たな第１の番組関連情報を選択した場合には、前記新たな第１の番組関連情報を前記第１の情報表示領域に表示させることで、前記第１の情報表示領域の表示を更新する、
請求項１に記載の情報表示装置。
【請求項３】
前記番組関連情報のそれぞれは、当該番組関連情報に関連する情報が前記映像番組で表示される日時を示す表示日時を有し、
前記制御部は、少なくとも前記表示日時を用いて、前記第１の番組関連情報と前記第２の番組関連情報とを選択する、
請求項１または２に記載の情報表示装置。
【請求項４】
前記制御部は、前記取得部が取得した番組関連情報の内、所定の時間範囲に含まれる表示日時を有する番組関連情報から前記第１の番組関連情報を選択し、前記所定の時間範囲に含まれない表示日時の番組関連情報から前記第２の番組関連情報を選択する、
請求項３に記載の情報表示装置。
【請求項５】
前記制御部は、前記第１の番組関連情報として選択されない番組関連情報の内、特定のカテゴリの番組関連情報から、前記第２の番組関連情報を選択する、
請求項１〜３のいずれか１項に記載の情報表示装置。
【請求項６】
前記特定のカテゴリは、広告である、
請求項５に記載の情報表示装置。
【請求項７】
前記制御部は、前記第１の情報表示領域に表示させた番組関連情報の中で最も古い表示時間よりも前の表示時間を有する番組関連情報から、前記第２の番組関連情報を選択する、
請求項３に記載の情報表示装置。
【請求項８】
前記制御部は、前記第１の情報表示領域に表示させた番組関連情報の中で最も新しい表示時間よりも後の表示時間を有する番組関連情報から、前記第２の番組関連情報を選択する、
請求項３に記載の情報表示装置。
【請求項９】
前記制御部は、一度でも第１の情報表示領域に表示させた番組関連情報以外の番組関連情報から、前記第２の番組関連情報を選択する、
請求項１〜３のいずれか１項に記載の情報表示装置。
【請求項１０】
前記情報表示装置は、さらに、
前記映像番組を表示する映像表示装置と通信することで、前記映像表示装置が表示する映像番組を特定する情報を取得する番組特定部を備え、
前記取得部は、前記番組特定部により取得された情報に基づいて、前記映像番組に関連する番組関連情報を取得する、
請求項１〜９のいずれか１項に記載の情報表示装置。
【請求項１１】
前記情報表示装置は、さらに、
前記映像番組を再生する映像再生装置と通信することで、前記映像再生装置が表示する映像番組を特定する情報を取得する番組特定部を備え、
前記取得部は、前記番組特定部により取得された情報に基づいて、前記映像番組に関連する番組関連情報を取得する、
請求項１〜９のいずれか１項に記載の情報表示装置。
【請求項１２】
前記情報表示装置は、さらに、
前記映像番組を表示する映像表示装置が出力する音声を取得するマイクと、
前記マイクが取得した音声から前記映像番組を特定する番組特定部と、を備え、
前記取得部は、前記番組特定部により特定された映像番組に関連する番組関連情報を取得する、
請求項１〜９のいずれか１項に記載の情報表示装置。
【請求項１３】
前記映像番組を特定する情報は、前記映像番組の名称、および、前記ユーザが視聴している映像番組の映像番組全体における時間位置を含む、
請求項１０または１１に記載の情報表示装置。
【請求項１４】
前記表示部は、さらに、前記映像番組を表示する映像番組表示領域を有する、
請求項１〜９のいずれか１項に記載の情報表示装置。
【請求項１５】
ユーザが視聴している映像番組に関連する番組関連情報を取得する取得ステップと、
前記取得ステップにおいて取得された番組関連情報の内、前記映像番組に連動した第１の番組関連情報を選択して表示部の第１の情報表示領域に表示させ、前記第１の番組関連情報として選択されない番組関連情報から第２の番組関連情報を選択して前記表示部の第２の情報表示領域に表示させる制御ステップと、を含む、
情報表示方法。
【発明の詳細な説明】
【技術分野】
【０００１】
本発明は、視聴中のテレビ等の映像番組に関連する情報を表示するための情報表示装置およびその情報表示方法に関する。
【背景技術】
【０００２】
テレビ番組の出演者や内容に関する情報は、新聞や、ＥＰＧ（電子番組表、Ｅｌｅｃｔｒｏｎｉｃ  Ｐｒｏｇｒａｍ  Ｇｕｉｄｅ）によって提供されている。【０００３】
特許文献１は、テレビ番組の出演者や内容に関する情報を、時系列に作成・配信することで、視聴中の番組と同期し、番組進行に合わせて携帯端末上に番組内容に関する情報を表示する技術を開示する。【０００４】
また、特許文献２は、視聴中のテレビ番組のジャンルや、視聴している番組内に出てきたキーワードに紐付けられた広告を、携帯端末上に表示する技術を開示する。【０００５】
これら技術により、視聴者の趣味や嗜好に合わせた広告配信を行うことができる。
【先行技術文献】
【特許文献】
【０００６】
【特許文献１】特開２０１１−９１６７５号公報
【特許文献２】特開２００９−３０３１２０号公報
【発明の概要】
【発明が解決しようとする課題】
【０００７】
本開示は、映像番組に関連する情報の表示機会を向上させる情報表示装置および情報表示方法を提供する。
【課題を解決するための手段】
【０００８】
本開示における情報表示装置は、ユーザが視聴している映像番組に関連する番組関連情報を取得する取得部と、第１の情報表示領域および第２の情報表示領域を有する表示部と、前記取得部により取得された番組関連情報の内、前記映像番組に連動した第１の番組関連情報を選択して前記第１の情報表示領域に表示させ、前記第１の番組関連情報として選択されない番組関連情報から第２の番組関連情報を選択して前記第２の情報表示領域に表示させる制御部と、を備える。
【発明の効果】
【０００９】
本開示における情報表示装置および情報表示方法は、映像番組に関連する情報の表示機会を向上させることができる。
【図面の簡単な説明】
【００１０】
【図１Ａ】図１Ａは、実施の形態１に係る番組関連情報提供システムの構成例を示す図である。
【図１Ｂ】図１Ｂは、実施の形態１に係る番組関連情報提供システムの詳細構成の一例を示す図である。
【図２】図２は、実施の形態１に係る番組関連情報の一例を示す図である。
【図３】図３は、携帯端末の表示部の構成例を示す図である。
【図４】図４は、実施の形態１における番組関連情報提供システムの機器間の処理の流れを示すシーケンス図である。
【図５】図５は、携帯端末の表示部に表示されるメタデータの表示例を示す図である。
【図６】図６は、携帯端末の表示部に表示されるメタデータの別の表示例を示す図である。
【図７】図７は、実施の形態２に係る番組関連情報提供システムの構成例を示す図である。
【図８】図８は、実施の形態２における番組関連情報提供システムの機器間の処理の流れを示すシーケンス図である。
【図９】図９は、実施の形態３に係る番組関連情報提供システムの構成例を示す図である。
【図１０】図１０は、実施の形態３における番組関連情報提供システムの機器間の処理の流れを示すシーケンス図である。
【図１１】図１１は、実施の形態４に係る番組関連情報提供システムの構成例を示す図である。
【図１２】図１２は、実施の形態４におけるテレビの表示部の構成例を示す図である。
【図１３】図１３は、実施の形態４における番組関連情報提供システムの機器間の処理の流れを示すシーケンス図である。
【発明を実施するための形態】
【００１１】
（本発明の一態様を得るに至った経緯）
特許文献１や特許文献２で開示される技術を用いることで、番組進行に合わせて携帯端末上に番組内容に関する情報や広告を順次表示することができるようになる。これにより、今見ていたシーンに関する情報を携帯端末上ですぐに見られる利点がある。
【００１２】
しかし、携帯端末等の表示パネルに表示できる情報量には限りがあるため、例えば映像番組の最初の方のシーンに関する情報は、携帯端末の表示画面からは表示されなくなってしまうことになる。提供される情報の量によっては、短時間でページアウトされる可能性もある。
【００１３】
特に表示される情報が広告の場合、視聴者に広告をできるだけ視聴して貰うため、できるだけ表示パネル等に表示され続けることを広告主は要望する。そのため、広告主は短時間で広告がページアウトされることは望まない。
【００１４】
また、視聴者が、番組を途中から見始めた場合には、番組の最初の方で表示されるはずだった広告が、一度も表示されないままになる可能性もある。また、広告に限らず、映像番組の冒頭部分で表示される関連情報が表示されない場合、視聴者は希望する情報を取得（視聴）することができなくなってしまう可能性もある。
【００１５】
そこで、以下の実施の形態では、テレビや携帯端末上に、視聴中の映像番組に関連する情報や広告を表示する番組関連情報提供システムにおいて、ユーザに対して映像番組に関連する情報や広告の表示機会を向上させる情報表示装置を開示する。
【００１６】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１７】
なお、発明者（ら）は、当業者が本開示を十分に理解するために添付図面および以下の説明を提供するのであって、これらによって請求の範囲に記載の主題を限定することを意図するものではない。
【００１８】
以下、本発明に係る実施の形態について、図面を参照しながら詳細に説明する。なお、同じ構成要素等には、同じ番号を付し、重複した説明を省略する。
【００１９】
（実施の形態１）
以下、図１Ａ〜図６を用いて、実施の形態１を説明する。
【００２０】
［１−１．構成］
図１Ａは、本実施の形態に係る番組関連情報提供システム１００のシステム構成例を示す図である。図１Ｂは、実施の形態１に係る番組関連情報提供システムの詳細構成の一例を示す図である。図２は、実施の形態１に係る番組関連情報の一例を示す図である。図３は、携帯端末２の表示部の構成例を示す図である。
【００２１】
番組関連情報提供システム１００は、番組関連情報提供サーバ１と、携帯端末２と、テレビ３と、を備える。
【００２２】
番組関連情報提供サーバ１は、視聴者がテレビ３で視聴している映像番組に関連する番組関連情報を携帯端末２に提供する。ここで、番組関連情報は、後述するように、映像番組の内容に関連する情報や、これらの情報とともに送信される広告情報などをいう。番組関連情報提供サーバ１は、図１Ｂに示すように、配信制御部１１と、通信インタフェース１２と、番組関連情報データベース１３と、を備える。
【００２３】
配信制御部１１は、通信インタフェース１２を通して携帯端末２から映像番組の番組関連情報の要求（メタデータ要求）を受信すると、要求された映像番組（例えば放送局および日時情報）に対応するアイテム（番組関連情報）のメタデータを、番組関連情報データベース１３で検索または取得する。配信制御部１１は、検索または取得したメタデータを、通信インタフェース１２を通して携帯端末２に送信する。なお、配信制御部１１は、要求された放送局および日時情報に該当するアイテム（当該映像番組に対応する番組関連情報）が複数個見つかった場合には、その全てを携帯端末２に送信する。
【００２４】
通信インタフェース１２は、例えばＬＡＮ（Ｌｏｃａｌ  Ａｒｅａ  Ｎｅｔｗｏｒｋ）インタフェースで、インターネットを通して携帯端末２と互いに通信することが可能である。
【００２５】
番組関連情報データベース１３は、例えば図２に示すように、映像番組に関連する番組関連情報（メタデータ）が保存されている。ここで、番組関連情報（メタデータ）には、それぞれ、メタデータのＩＤ（メタＩＤ）と、映像番組を配信する放送局と、このメタＩＤに関連する情報が映像番組で表示（登場）した日時（表示日時）と、この情報のカテゴリと、この情報の名前（タイトル）と、この情報についての説明文と、この情報に関する画像がある場合にはその画像のＵＲＬ（画像ＵＲＬ）と、さらに別のリンク先がある場合にはそのＵＲＬ（リンク先ＵＲＬ）と、等が含まれる。図２では、例えば、メタＩＤが０００１の番組関連情報には、放送局ＸＸ−ＴＶが放送する映像番組中の２０１２／１／１の１２：０５に表示される織田信長の情報であり、この織田信長の画像がｈｔｔｐ：／／ａａａ．ｃｏｍ／ａａａ．ｊｐｇに存在する旨が含まれている。
【００２６】
なお、映像番組に関連する番組関連情報（メタデータ）とは、映像番組で映像として表示される商品、人物、地域等の対象物だけでなく、映像番組で紹介されるニュース、事象、現象、サービス等の情報など、映像番組に含まれるあらゆる情報と関連する情報である。また、この番組関連情報（メタデータ）は、番組関連情報（メタデータ）を配信するサービスに映像番組と直接関連する広告情報だけでなく、映像番組と直接関連しないが、その映像番組中に配信される広告情報を含むものであってもよい。
【００２７】
例えば、図２に示す番組関連情報（メタデータ）では、カテゴリが「広告」となっているアイテムが、広告である。そして、この「広告」カテゴリにより、その「広告」カテゴリ以外の種類の情報と区別することができる。この「広告」カテゴリの番組関連情報の表示日時は、例えばテレビＣＭ（Ｃｏｍｍｅｒｃｉａｌ  Ｍｅｓｓａｇｅ）のように決まった時間に表示するようにしてもよいし、ある特定のアイテムと同時に表示されるようになっていてもよく、様々なバリエーションで決めることができる。
【００２８】
携帯端末２は、情報表示装置の一例であり、ユーザが視聴している映像番組（コンテンツ）に関連する番組関連情報を表示する。携帯端末２は、通信インタフェース２１と、制御部２２と、表示部２３と、番組位置特定部２４と、取得情報保持部２５と、を備える。
【００２９】
通信インタフェース２１は、番組関連情報提供サーバ１の通信インタフェース１２と同様に、ＬＡＮ等のインタフェースで、ネットワークを通じて番組関連情報提供サーバ１と通信する。
【００３０】
表示部２３は、例えば液晶画面で構成され、その表示領域は、図３に示すように液晶画面上にメタデータ表示領域３１（第１の情報表示領域）と、範囲外広告表示領域３２（第２の情報表示領域）と、を有している。また、図３では、メタデータ表示領域３１には例えば最大６個のメタデータを表示可能で、範囲外広告表示領域３２には例えば最大２個のメタデータ（広告）を表示可能である例が示されている。
【００３１】
制御部２２は、ユーザが視聴している映像番組に関連する番組関連情報を取得する。また、制御部２２は、通信インタフェース２１を通じて取得された番組関連情報の内、ユーザが視聴している映像番組に連動した第１の番組関連情報を選択して表示部２３の第１の情報表示領域に表示させる。また、制御部２２は、第１の番組関連情報として選択されない番組関連情報から第２の番組関連情報を選択して表示部２３の第２の情報表示領域に表示させる。そして、制御部２２は、映像番組に連動した新たな第１の番組関連情報を選択した場合には、新たな第１の番組関連情報を前記第１の情報表示領域に表示させることで、第１の情報表示領域の表示を更新する。
【００３２】
具体的には、制御部２２は、ユーザが視聴している映像番組の番組関連情報の要求（メタデータ要求）を、通信インタフェース２１を通して、番組関連情報提供サーバ１に送信する。ここで、メタデータ要求とは、例えば番組位置特定部２４が取得した放送局（配信元）と、この放送局の映像番組中におけるユーザが今視聴している映像番組の相対的な位置（映像番組全体における時間的な位置情報）と、取得した放送局の映像番組に含まれる情報に関連する情報の範囲を指定したものである。なお、映像番組中におけるユーザが今視聴している映像番組の相対的な位置は、例えば、取得済みメタデータの最も新しい表示時刻や現在時刻である。このように、要求される情報（メタデータ範囲）として、前回までに取得したメタデータから、今回取得するまでに更新されたメタデータが取得対象となる。
【００３３】
制御部２２は、番組関連情報提供サーバ１から応答としてユーザが視聴している映像番組に関連する番組関連情報（メタデータ）を、通信インタフェース２１を通して受信すると、取得情報保持部２５に保存する。
【００３４】
さらに、制御部２２は、表示部２３のメタデータ表示領域３１（第１の情報表示領域）に取得したメタデータ（第１の番組関連情報）を表示する。制御部２２は、例えばメタデータ表示領域３１（第１の情報表示領域）が、メタデータ（第１の番組関連情報）で埋め尽くされると、古いメタデータをページ送りやスクロールによって表示しないようにし、メタデータ表示領域３１（第１の情報表示領域）に逐次新しいメタデータ（第１の番組関連情報）を表示する。
【００３５】
番組位置特定部２４は、テレビ３と通信することで、現在、テレビ３でユーザに選局されて視聴されている映像番組を特定する情報（番組特定情報）を取得する。ここで、映像番組を特定する情報（番組特定情報）とは、例えば配信元（放送局）、映像番組の名称、視聴している映像番組が映像番組全体のどの部分（時間的位置）かを特定する時間情報等、テレビ３が実際に表示している映像番組を特定する情報である。なお、テレビ３との通信は、例えばＬＡＮ経由で行う。
【００３６】
取得情報保持部２５は、制御部２２により、通信インタフェース２１を通じて番組関連情報提供サーバ１から取得した番組関連情報（メタデータ）を記録または保持される。
【００３７】
テレビ３は、映像表示装置の一例であり、視聴者（ユーザ）が視聴する映像番組を表示する。なお、テレビ３で表示されるユーザが視聴する映像番組は、放送波で受信するもの、ビデオプレーヤで再生するもの、ケーブルＴＶで再生されるもの、等のいずれであってもよい。
【００３８】
［１−２．動作］
以上のように構成された番組関連情報提供システム１００について、その動作を以下説明する。
【００３９】
図４は、本実施の形態における番組関連情報提供システム１００を構成する番組関連情報提供サーバ１と携帯端末２とテレビ３との間の処理の流れを示すシーケンス図である。
【００４０】
まず、携帯端末２において、番組位置特定部２４は、例えば視聴中の放送局を示す情報など、視聴者がテレビ３で視聴している映像番組を特定する情報（番組特定情報）の送信を要求する信号を、テレビ３に送信する（Ｓ４０１）。
【００４１】
次に、テレビ３は、携帯端末２から要求された、視聴中の放送局を示す情報（例えば、放送局名等）など、表示中の映像番組の番組を特定する情報（番組特定情報）を返信する（Ｓ４０１）。
【００４２】
次に、携帯端末２は、テレビ３より番組特定情報を受信すると、受信した番組特定情報（映像番組を特定する放送局および視聴時の日時情報）に基づきユーザが視聴している映像番組の番組関連情報の要求（メタデータ要求）を、番組関連情報提供サーバ１に送信する（Ｓ４０３）。ここで、例えば、携帯端末２は、テレビ３より受信した番組特定情報に視聴時の日時情報を追加したものを番組特定情報として番組関連情報提供サーバ１に送信するとしてよい。
【００４３】
次に、番組関連情報提供サーバ１は、受信した番組特定情報（メタデータ）の要求に応答して、当該映像番組に関連する番組関連情報（メタデータ）を番組関連情報データベース１３で探索（検索または取得）し、探索した番組関連情報（メタデータ）を携帯端末２に送信する（Ｓ４０４）。
【００４４】
次に、携帯端末２は、番組関連情報提供サーバ１から受信した番組関連情報（メタデータ）を表示部２３に表示する（Ｓ４０５）。
【００４５】
以降の処理は、Ｓ４０１〜Ｓ４０５を繰り返す動作であるので、説明を省略する。なお、図４に示すシーケンスでは、同じ処理を周期的に実行する場合の例を示しているが、これに限定するものではない。例えば、周期的に行なわず、視聴者（ユーザ）が要望するタイミングでＳ４０１〜Ｓ４０５の処理を行うものであってもよい。
【００４６】
また、携帯端末２が、番組関連情報提供サーバ１に対し番組関連情報（メタデータ）を要求する動作は、テレビ３からの視聴中放送局の取得動作に連動して実施してもよいし、独立して実施してもよい。図４では、携帯端末２は、例えば、周期範囲を５分等の周期で番組関連情報（メタデータ）を要求している場合の例を示しているが、それに限られず、もっと長い範囲（周期）でも、短い範囲（周期）でもよく、また周期が毎回異なる長さであってもよい。
【００４７】
図５は、携帯端末２の表示部２３に表示されるメタデータの表示例を示す図である。図５では、例として、１２時０６分時点のメタデータの表示例を示している。なお、この時点（１２時０６分時点）で、携帯端末２は、図５の（ｂ）に示すようにメタＩＤが０００１から０００５の５個のメタデータ（番組関連情報）を取得している。そのため、表示部２３のメタデータ表示領域３１には、図５の（ｃ）に示すようにこれら５個のメタデータが表示されている。
【００４８】
また、図５に示す表示例では、１２時０６分時点で、携帯端末２がメタＩＤ０００１からメタＩＤ０００５の５個のメタデータしか取得していない。携帯端末２のメタデータ表示領域３１では最大６個のメタデータが表示可能であるので、携帯端末２は、取得したすべてのメタデータ（５個のメタデータ）についてメタデータ表示領域３１で表示が可能な状態である。なお、範囲外広告表示領域３２には、この時点ではいずれの情報も表示していない。
【００４９】
図６は、携帯端末２の表示部２３に表示されるメタデータの別の表示例を示す図である。
【００５０】
図６は、図５に示す表示例と異なる時間である１２時５４分時点のメタデータの表示例を示している。この時点（１２時５４分時点）で、携帯端末２は、図６の（ｂ）に示すようにメタＩＤが０００１から０００３７の３７個のメタデータ（番組関連情報）を取得している。
【００５１】
ただし、携帯端末２のメタデータ表示領域３１に表示できるメタデータは最大６個である。そのため、携帯端末２は、メタＩＤが０００１から０００３１までのメタデータは画面外にページアウトさせることで実質的に表示せず、図６の（ｃ）に示すようにメタＩＤが００３２から０００３７である６個のメタデータのみをメタデータ表示領域３１に表示している。つまり、携帯端末２のメタデータ表示領域３１では、映像番組の進行に合わせて、これまで表示していたメタデータは画面外にページアウトされて、映像番組の表示内容に連動したメタデータが表示される。
【００５２】
また、携帯端末２は、例えば図６の（ｃ）に示すように範囲外広告表示領域３２に、メタデータ表示領域３１に表示されない（ページアウトされている）メタデータを表示している。つまり、携帯端末２は、例えばメタデータ表示領域３１で表示対象外としているメタデータ０００１から００３１までのメタデータを、範囲外広告表示領域３２で表示する。本実施の形態では、表示部２３の範囲外広告表示領域３２は、特定のカテゴリとして「広告」を表示する領域として使用する場合を例にしている。具体的には、範囲外広告表示領域３２は、メタＩＤ０００１からメタＩＤ００３１の内、カテゴリが「広告」に該当するメタデータを表示する。なお、図２に示すメタデータ（番組関連情報）の例の場合には、メタＩＤ００２、０００５等が、範囲外広告表示領域３２で表示される特定のカテゴリ「広告」に該当する。
【００５３】
なお、範囲外広告表示領域３２に表示するメタデータの候補が範囲外広告表示領域３２で表示可能な個数以上にある場合も想定される。その場合には、携帯端末２は、それらメタデータ候補の中から、（１）ランダムに選択する、（２）メタＩＤの小さい番号から表示する、および（３）表示する候補となるメタデータを周期的に変える、等いずれの表示方法を採用してもよい。
【００５４】
つまり、範囲外広告表示領域３２に表示されるメタデータは、映像番組と連動している必要はないということである。範囲外広告表示領域３２には、例えば、メタデータ表示領域３１に過去に表示されたメタデータを一定間隔で表示するとしてもよいし、特定のカテゴリのメタデータを過去に表示した順番または過去の表示順序とはランダムに一定間隔で表示するとしてもよい。また、範囲外広告表示領域３２には、メタデータ表示領域３１に未だ表示されていないメタデータで、かつ、特定のカテゴリのメタデータをランダムに一定間隔で表示するとしてもよい。これらのように、範囲外広告表示領域３２には、メタデータ表示領域３１に表示された番組関連情報以外の番組関連情報から選択して表示されるとしてもよい。
【００５５】
なお、範囲外広告表示領域３２に表示される番組関連情報とメタデータ表示領域３１に表示された番組関連情報とは一部重複するとしてもよい。
【００５６】
また、携帯端末２は、範囲外広告表示領域３２に表示する特定のカテゴリ「広告」の内容は、取得情報保持部２５に保存しておいたメタデータを用いてもよい。また、携帯端末２は、テレビ３の映像番組の表示内容に連動させて（表示時に）、番組関連情報提供サーバ１から、範囲外広告表示領域３２に表示する特定のカテゴリ「広告」のメタデータを再度取得してもよい。なお、特定のカテゴリは、上記「広告」に限られない。例えば「緊急情報」などでもよい。
【００５７】
また、上記の説明ではメタデータ表示領域３１に最新の番組関連情報を表示し、範囲外広告表示領域３２にメタデータ表示領域３１に表示されない番組関連情報や広告情報を表示する場合について説明したが、本実施の形態はこの態様に限定されるものではない。
【００５８】
換言すると、制御部２２は、メタデータ表示領域３１には任意のメタデータを選択し、範囲外広告表示領域３２には、メタデータ表示領域３１に表示させないメタデータを選択するとしてもよい。例えば、制御部２２は、範囲外広告表示領域３２に表示可能なメタデータ（候補）の内、特定のカテゴリを有するメタデータのみを更に絞り込んで選択して表示させるとしてもよい。
【００５９】
また、制御部２２は、例えば、メタデータ表示領域３１に表示させるメタデータの内、最も早い（最も新しい）表示日時を有するメタデータよりもさらに早い（新しい）表示日時を有するメタデータを範囲外広告表示領域３２に表示させるとしてもよい。または、制御部２２は、メタデータ表示領域３１に表示させるメタデータの内、最も遅い（古い）表示日時を有するメタデータよりもさらに後の表示日時を有するメタデータを範囲外広告表示領域３２に表示させるとしてもよい。つまり、制御部２２は、範囲外広告表示領域３２に上述したような時間の要素を用いてメタデータを絞り込み（選択し）、範囲外広告表示領域３２に表示させるとしてもよい。
【００６０】
［１−３．効果等］
以上のように、本実施の形態において、情報表示装置（携帯端末２）は、ユーザが視聴している映像番組に関連する番組関連情報を外部機器から取得する取得部（通信インタフェース２１）と、第１の情報表示領域（メタデータ表示領域３１）および第２の情報表示領域（範囲外広告表示領域３２）を有する表示部（表示部２３）と、取得部により取得された番組関連情報の内、映像番組に連動した第１の番組関連情報を選択して第１の情報表示領域に表示させ、第１の番組関連情報として選択されない番組関連情報から第２の番組関連情報を選択して前記第２の情報表示領域に表示させる制御部（制御部２２）と、を備える。
【００６１】
これにより、映像番組に関連する情報の表示機会を向上させることができる情報表示装置を提供することができる。具体的には、この情報表示装置は、取得した番組関連情報のなかから選択した第１の番組関連情報を第１の情報表示領域に表示するとともに、第１の情報表示領域に表示されない番組関連情報については、第２の情報表示領域に表示することが可能となる。
【００６２】
また、番組関連情報のそれぞれは、当該番組関情報に関連する情報が映像番組で表示される日時を示す表示日時を有する。
【００６３】
ここで、制御部（制御部２２）は、取得部が取得した番組関連情報の内、所定の時間範囲に含まれる表示日時を有する番組関連情報から第１の番組関連情報を選択し、前記所定の時間範囲に含まれない表示日時の番組関連情報から第２の番組関連情報を選択するとしてもよい。
【００６４】
例えば、制御部は、第１の情報表示領域に表示させた番組関連情報の中で最も古い表示時間よりも前の表示時間を有する番組関連情報から、前記第２の番組関連情報を選択するとしてもよい。また、制御部は、第１の情報表示領域に表示させた番組関連情報の中で最も新しい表示時間よりも後の表示時間を有する番組関連情報から、第２の番組関連情報を選択するとしてもよい。
【００６５】
また、上記の所定の時間範囲は、情報表示装置（携帯端末２）の利用者が指定するものであってもよいし、第１の情報表示領域に表示される番組関連情報の中で最も早い（新しい）表示時間を所定時間範囲の開始時間とし、最も遅い（古い）表示時間を終了時刻とするものであってもよい。
【００６６】
より具体的には、制御部は、例えば、上記所定時間範囲の開始時間（表示時間）よりも前の表示時間を有する番組関連情報を第２の情報表示領域に表示させる番組関連情報として選択するものであってもよい。また、反対に制御部は、所定時間範囲の終了時間よりも後の表示時間を有する番組関連情報を第２の情報表示領域に表示させる番組関連情報として選択するものであってもよい。
【００６７】
また、制御部は、一度でも第１の情報表示領域に表示させた番組関連情報以外の番組関連情報から、前記第２の番組関連情報を選択するとしてもよい。例えば、制御部は、一度でも第１の情報表示領域に表示した番組関連情報については、少なくとも一度は「第１の表示領域に表示されたこと示す情報」を付加して、再度、取得情報保持部に記録する。そして、制御部は、第２の情報表示領域には、「第１の表示領域に表示されたこと示す情報」が付加されていない情報のみを表示するとしてもよい。
【００６８】
このように、第１の情報表示領域に表示される番組関連情報と、第２の情報表示領域に表示される番組関連情報と、はそれぞれの表示日時が異なるものとすることができる。これにより、利用者（ユーザ）は、同時に異なる表示日時を有する番組関連情報を同時に見ることができる。
【００６９】
また、制御部は、第１の番組関連情報として選択されない番組関連情報の内、特定のカテゴリの番組関連情報から、第２の番組関連情報を選択するとしてもよい。ここで、例えば、特定のカテゴリは、広告である。
【００７０】
これにより、映像番組に関連する広告の表示機会を向上させることができる。つまり、番組進行（ユーザ操作）により、現在第１の情報表示領域に表示されていない番組関連情報や広告も、適度にユーザの目に触れるように表示することが可能となる。
【００７１】
以上、本実施の形態によれば、視聴者（ユーザ）がテレビ３等で視聴している映像番組が進行し、携帯端末２が表示対象外としたメタデータであっても、視聴者（ユーザ）は当該メタデータ（番組関連情報）を、携帯端末２の表示画面上で視聴することができる。これにより視聴者（ユーザ）は、映像番組に対応するメタデータを、映像番組中の表示時間以外でも携帯端末２で確認することができる。その際に、テレビ３等の表示時間中に対応するメタデータはメタデータ表示領域３１に表示され、表示時間以外のメタデータは範囲外広告表示領域３２に表示される。それにより、視聴者は、表示時間が異なるメタデータを、同時に携帯端末２上で確認することができる。
【００７２】
ここで、範囲外広告表示領域３２に表示されるメタデータが広告情報である場合には、映像番組中に対応する表示日時以外でも広告情報を視聴者に表示することができるため、より効果的に広告としての効果を奏することができる。
【００７３】
なお、メタデータの内容は図２に示す番組関連情報の項目内容（パラメータ）に限らず、より多くのパラメータで構成されていてもよい。また、各パラメータの内容も図２に示す形式とは異なる他の形式で構成されていてもよい。
【００７４】
また、番組関連情報データベース１３において、テレビ番組に登場した様々なアイテム（情報）と、広告とを、図２に示すような一つのテーブルに混在させて保持する場合に限られない。上記アイテムと広告とをそれぞれ別のテーブルで保有するとしていてもよい。
【００７５】
また、上記説明では、配信制御部１１は、携帯端末２からメタデータを要求された放送局および日時情報に該当するアイテムが複数個見つかった場合には、その全てを携帯端末２に送信する場合の例を説明したが、それに限らず、該当するアイテムの一部のみを携帯端末２に送信するとしてもよい。これにより、例えば、ユーザの属性（性別や年齢など）や趣味嗜好に合わせて、携帯端末２に表示される情報を選別することができる。
【００７６】
また、表示部２３には、メタデータ表示領域３１および範囲外広告表示領域３２以外の表示内容を表示する表示領域を有していてもよい。
【００７７】
また、上記説明では、メタデータ表示領域３１には最大６個のメタデータを表示可能で、範囲外広告表示領域３２には最大２個のメタデータ（広告）を表示可能である場合の例を説明したが、それに限らない。メタデータ表示領域３１と範囲外広告表示領域３２に表示可能なメタデータの個数は任意に決めてもよい。
【００７８】
また、上記説明では、メタデータ表示領域３１に表示されない番組関連情報を範囲外広告表示領域３２に表示するとしたが、それに限らない。範囲外広告表示領域３２に表示する広告の選択方法は上記説明と異なっていても構わない。
【００７９】
例えば、現時点より将来に表示される予定の広告（すなわち、広告に設定された表示日時が、現在日時よりも後になっている）の中から選ぶとしてもよいし、まだ一度もメタデータ表示領域３１に表示されたことのない広告の中から選ぶとしてもよい。また、ユーザの操作により、メタデータ表示領域３１に過去に表示したメタデータを再度表示できるようになっていてもよい。例えば、表示部２３はタッチパネルになっており、ユーザのタッチ操作（いわゆるフリック操作）で、表示するメタデータが変わるようにする、などが考えられる。
【００８０】
また、携帯端末２とテレビ３との通信、および携帯端末２と番組関連情報提供サーバ１との通信は、携帯電話回線などのＬＡＮ経由以外の通信手段であっても構わない。
【００８１】
また、テレビ３の視聴内容やメタデータを表す情報として放送局を用いたが、例えば番組名や番組を識別するＩＤ情報であっても構わない。
【００８２】
また、メタデータの各アイテムの表示時刻（表示日時）は、日時ではなく、その番組の開始時刻からの相対経過時間（例えば、番組開始から５分２０秒の時点）であっても構わない。
【００８３】
また、テレビ３で視聴する番組は、地上デジタル放送やＢＳ（Ｂｒｏａｄｃａｓｔｉｎｇ  Ｓａｔｅｌｌｉｔｅ）放送など放送波、もしくはケーブル放送で提供される番組でもよいし、ビデオオンデマンドにより配信される番組であっても構わない。ビデオオンデマンドにより配信される番組の場合には、メタデータは、放送局と日時情報の代わりに、例えば番組のＩＤ情報と番組内の相対経過時間で識別すればよい。
【００８４】
（実施の形態２）
以下、図７および図８を用いて、実施の形態１で説明した番組関連情報提供システムと異なる例を、実施の形態２として説明する。
【００８５】
［２−１．構成］
図７は、本実施の形態に係る番組関連情報提供システム２００の構成例を示す図である。図７に示す番組関連情報提供システム２００は、番組関連情報提供サーバ１と、テレビ３と、携帯端末４と、を備える。
【００８６】
図７に示す番組関連情報提供システム２００と、実施の形態１で説明した番組関連情報提供システム１００とは、携帯端末４において、視聴者がテレビ３で視聴している映像番組を特定する方法が異なる。以下の説明では、実施の形態１と相違する点を中心に説明し、実施の形態１と同じ部分については同一番号を付し、説明を省略する。
【００８７】
番組関連情報提供サーバ１と、テレビ３とは実施の形態１と同じであるので説明を省略する。
【００８８】
携帯端末４は、情報表示装置の一例であり、ユーザが視聴している映像番組（コンテンツ）に関連する番組関連情報を表示する。携帯端末４は、通信インタフェース２１と、制御部２２と、表示部２３と、取得情報保持部２５と、番組位置特定部６１と、マイク６２と、を備える。なお、通信インタフェース２１と、表示部２３と、取得情報保持部２５と、は実施の形態１の携帯端末２の構成と同じであるので説明を省略する。
【００８９】
番組位置特定部６１は、番組特定部の一例であり、マイク６２が取得した音声から映像番組を特定する。
【００９０】
換言すると、番組位置特定部６１は、マイク６２を通して、テレビ３が映像番組を表示するのとともに出力する音声を取得し、処理する。具体的には、番組位置特定部６１は、例えば、取得した音声信号から一意に決定される値（例えば、ハッシュ値等）を算出し、その値に基づいて、テレビ３が表示する映像番組の配信元、番組名、番組中の表示時間等を特定する。ここで、一意に決定される値から、番組名等を特定するのは、番組位置特定部６１自身が実施しても構わないし、外部解析用サーバに算出した値等を送信し、外部解析用サーバで特定した番組名等を受信するようになっていてもよい。
【００９１】
なお、本実施の形態での番組名等の特定方法は、上記の方法に限定するものではない。テレビ３が出力する音声から映像番組等を特定することができればよい。
【００９２】
マイク６２は、映像番組を表示するテレビ３が出力する音声を取得する。具体的には、マイク６２は、テレビ３が出力する音声を取得して電気信号に変換する。マイク６２は、変換した音声電気信号を、上述の番組位置特定部６１に出力する。
【００９３】
制御部２２は、実施の形態１に示す制御部２２と実質的に同様である。例えば、制御部２２は、ユーザが視聴している映像番組の番組関連情報の要求（メタデータ要求）を、通信インタフェース２１を通して、番組関連情報提供サーバ１に送信する。そして、制御部２２は、ユーザが視聴している映像番組に関連する番組関連情報を取得する。ここで、メタデータ要求とは、例えば番組位置特定部６１が特定した放送局と、時間で指定する欲しいメタデータの範囲（ユーザが視聴している映像番組の映像番組全体における時間位置）とが指定されている。制御部２２は、このようなメタデータ要求を、通信インタフェース２１を通して、番組関連情報提供サーバ１に送信する。
【００９４】
このように制御部２２は、実施の形態１に示す制御部２２と実質的に同様であるので、その他の説明は省略する。
【００９５】
［２−２．動作］
以上のように構成された番組関連情報提供システム２００について、その動作を以下説明する。
【００９６】
図８は、本実施の形態における番組関連情報提供システム２００を構成する番組関連情報提供サーバ１とテレビ３と携帯端末４との間の処理の流れを示すシーケンス図である。図８に示す処理と、実施の形態１で説明した図４に示す処理との相違点は、視聴中の番組を特定するまでの処理の部分である。番組特定後の処理（Ｓ４０３〜Ｓ４０５）は図４のＳ４０３〜Ｓ４０５と同じであるので、説明を省略する。
【００９７】
まず、テレビ３は、視聴者（ユーザ）が視聴中の映像番組の映像を表示部２３に表示するとともに、その映像番組の音声をスピーカ（図示せず）から出力する（Ｓ８０１）。
【００９８】
次に、携帯端末４のマイク６２は、テレビ３が出力する音声を取得して電気信号に変換する。マイク６２は、変換した音声電気信号を番組位置特定部６１に出力する。番組位置特定部６１は、入力された音声電気信号から配信元、番組名、番組中における時間等などで映像番組を特定する（Ｓ８０２）。なお、この特定方法は、上記の通り音声信号に基づくものであれば、上記の例（配信元、番組名、番組中における時間）に限らない。
【００９９】
以降の処理（Ｓ４０３〜Ｓ４０５）は、図４と同様であるので説明を省略する。
【０１００】
なお、携帯端末４は、Ｓ８０１〜Ｓ８０２とＳ４０４〜Ｓ４０５との処理を一定時間間隔、又は、必要に応じて、繰り返す。
【０１０１】
［２−３．効果等］
以上、本実施の形態によれば、視聴者（ユーザ）がテレビ３等で視聴している映像番組が進行し、携帯端末４が表示対象外としたメタデータであっても、視聴者（ユーザ）は当該メタデータ（番組関連情報）を、携帯端末４の表示画面上で視聴することができる。これにより視聴者（ユーザ）は、映像番組に対応するメタデータを、映像番組中の表示時間以外でも携帯端末４で確認することができる。その際に、テレビ３等の表示時間中に対応するメタデータはメタデータ表示領域３１に表示され、表示時間以外のメタデータは範囲外広告表示領域３２に表示される。それにより、視聴者は、表示時間が異なるメタデータを、同時に携帯端末２上で確認することができる。
【０１０２】
また、範囲外広告表示領域３２に表示されるメタデータが広告情報である場合には、映像番組中に対応する表示日時以外でも広告情報を視聴者に表示することができるため、より効果的に広告としての効果を奏することができる。
【０１０３】
また、本実施の形態では、携帯端末４がテレビ３で表示している映像番組を実施の携帯１で説明した方法と異なる方法で特定する。すなわち、本実施の形態では、テレビ３から出力される音声信号に基づいて番組を特定する。それにより、テレビ３側には携帯端末４に映像番組を特定するための情報を送信するための通信機能が不要となり、視聴者は、通信機能を備えないテレビを用いた場合でも、テレビでの映像番組の表示と並行して、携帯端末４で番組関連情報を確認することができる。
【０１０４】
（実施の形態３）
以下、図９および図１０を用いて、実施の形態１および２で説明した番組関連情報提供システムと異なる例を、実施の形態３として説明する。
【０１０５】
［３−１．構成］
図９は、本実施の形態に係る番組関連情報提供システム３００の構成例を示す図である。図９に示す番組関連情報提供システム３００は、番組関連情報提供サーバ１と、テレビ３と、携帯端末６と、ビデオレコーダ７と、を備える。
【０１０６】
図９に示す番組関連情報提供システム３００と、実施の形態１で説明した番組関連情報提供システム１００との相違点は、新たにビデオレコーダ７を備え、携帯端末６が、ビデオレコーダ７と通信することで、テレビ３が表示している映像番組を特定する点である。以下の説明では、実施の形態１と相違する点を中心に説明し、実施の形態１と同じ部分については同一番号を付し、説明を省略する。
【０１０７】
番組関連情報提供サーバ１と、テレビ３と、は実施の形態１と同じであるので説明を省略する。
【０１０８】
携帯端末６は、情報表示装置の一例であり、ユーザが視聴している映像番組（コンテンツ）に関連する番組関連情報を表示する。携帯端末６は、通信インタフェース２１と、制御部２２と、表示部２３と、取得情報保持部２５と、番組位置特定部８１と、を備える。なお、通信インタフェース２１と、表示部２３と、取得情報保持部２５と、は実施の形態１（図１Ｂ）で説明した携帯端末２と同じであるので説明を省略する。
【０１０９】
制御部２２は、ユーザが視聴している映像番組の番組関連情報の要求（メタデータ要求）を、通信インタフェース２１を通して、番組関連情報提供サーバ１に送信する。ここで、メタデータ要求には、例えば番組位置特定部８１が特定した放送局や、特定した放送局の映像番組に含まれる情報に関連する情報の範囲（メタデータの範囲）が指定されている。
【０１１０】
番組位置特定部８１は、番組特定部の一例であり、映像番組を再生するビデオレコーダ７と通信することで、ビデオレコーダ７が表示する映像番組を特定する情報（番組特定情報）を取得する。具体的には、番組位置特定部８１は、ビデオレコーダ７と通信することで、ビデオレコーダ７で再生している番組の放送局、番組の開始日時、および現在の再生位置がどこかなどを含む映像番組を特定する情報（番組特定情報）を取得する。ビデオレコーダ７との通信は、例えばＬＡＮ経由で行う。
【０１１１】
ビデオレコーダ７は、映像再生装置の一例であり、録画済の映像番組を再生する。再生される映像番組はテレビ３で表示される。
【０１１２】
［３−２．動作］
以上のように構成された番組関連情報提供システム３００について、その動作を以下説明する。
【０１１３】
図１０は、本実施の形態における番組関連情報提供システム３００を構成する番組関連情報提供サーバ１と、携帯端末６と、ビデオレコーダ７との間の処理の流れを示すシーケンス図である。図１０に示す処理と実施の形態１で説明した図４に示す処理との相違点は、携帯端末６が通信する相手がテレビ３からビデオレコーダ７に変わっている点である。
【０１１４】
まず、携帯端末６の番組位置特定部８１は、ビデオレコーダ７に視聴者が視聴している再生中の映像番組を特定する情報（番組特定情報）を送信要求する信号を送信する（Ｓ１００１）。
【０１１５】
次に、ビデオレコーダ７は、携帯端末６からの要求に応答して、例えば放送局などの情報を含む再生中の映像番組の番組を特定する番組特定情報を番組位置特定部８１に返信する（Ｓ１００２）。
【０１１６】
以降の処理（Ｓ４０３からＳ４０５）は、実施の形態１（図４）で説明した処理と同じであるので説明を省略する。
【０１１７】
［３−３．効果等］
以上、本実施の形態によれば、視聴者（ユーザ）がビデオレコーダ７で再生、テレビ３等で視聴している映像番組が進行し、携帯端末６が表示対象外としたメタデータであっても、視聴者（ユーザ）は当該メタデータ（番組関連情報）を、携帯端末６の表示画面上で視聴することができる。これにより視聴者（ユーザ）は、映像番組に対応するメタデータを、映像番組中の表示時間以外でも携帯端末６で確認することができる。その際に、ビデオレコーダ７で再生されテレビ３で表示されている表示時間中のメタデータはメタデータ表示領域３１に表示され、表示時間以外のメタデータは範囲外広告表示領域３２に表示される。それにより、視聴者は、表示時間が異なるメタデータを、同時に携帯端末６上で確認することができる。
【０１１８】
また、範囲外広告表示領域３２に表示されるメタデータが広告情報である場合には、映像番組中に対応する表示日時以外でも広告情報を視聴者に表示することができるため、より効果的に広告としての効果を奏することができる。
【０１１９】
なお、本実施の形態では、ビデオレコーダを一例として説明したがそれに限らない。ビデオレコーダの代わりに、ＤＶＤ（Ｄｉｇｉｔａｌ  Ｖｅｒｓａｔｉｌｅ  Ｄｉｓｋ）レコーダやＢＤ（Ｂｌｕ−ｒａｙ  Ｄｉｓｃ）レコーダ、もしくはＳＴＢ（Ｓｅｔ  Ｔｏｐ  Ｂｏｘ）など他の再生装置であってもよい。再生中の番組が何かと、どの位置を再生しているかの情報を、携帯端末６が取得できるものであれば再生装置の形態は問わない。
【０１２０】
また、携帯端末６とビデオレコーダ７との通信は、ＬＡＮ経由以外の通信手段であっても構わない。
【０１２１】
（実施の形態４）
以下、図１１〜図１３を用いて、実施の形態１で説明した番組関連情報提供システムと異なる例を、実施の形態４として説明する。
【０１２２】
［４−１．構成］
図１１は、本実施の形態における番組関連情報提供システム４００の構成例を示す図である。図１２は、本実施の形態におけるテレビの表示部の構成例を示す図である。
【０１２３】
図１１に示す番組関連情報提供システム４００は、番組関連情報提供サーバ１と、テレビ７３と、リモコン７４と、を備える。
【０１２４】
図１１に示す番組関連情報提供システム４００と、実施の形態１で説明した番組関連情報提供システム１００との相違点は、テレビ７３が、実施の形態１等で説明した携帯端末の機能も備えている点である。以下の説明では、実施の形態１と相違する点を中心に説明し、実施の形態１と同じ部分については同一番号を付し、説明を省略する。
【０１２５】
番組関連情報提供サーバ１は、実施の形態１と同じであるので説明を省略する。
【０１２６】
テレビ７３は、通信インタフェース１０１と、制御部１０２と、表示部１０３と、チューナ１０４と、取得情報保持部１０５と、入力部１０６と、アンテナ１０７と、を備える。
【０１２７】
通信インタフェース１０１は、番組関連情報提供サーバ１と通信を行い、番組関連情報提供サーバへテレビ７３が表示する映像番組の配信元、番組名、表示時間等を送信する。通信インタフェース１０１は、番組関連情報提供サーバから映像番組のメタデータ等を受信する。
【０１２８】
制御部１０２は、テレビ７３全体を制御するとともに、実施の形態１で説明した制御部２２（図２）と同じ制御を行なう。制御部１０２が制御部２２と異なるのは、制御部２２がテレビ７３で表示している映像番組を特定し、それ（映像番組を特定した番組特定情報）を、通信インタフェース１０１を介して番組関連情報提供サーバ１へ送信する点である。
【０１２９】
表示部１０３は、上述した第１の情報表示領域および第２の情報表示領域を有するだけでなく、さらに、映像番組を表示する映像番組表示領域を有する。具体的には、表示部１０３は、視聴者（ユーザ）に表示する映像番組とともに、番組関連情報提供サーバ１から受信したメタデータ等の表示も行なう。
【０１３０】
表示部１０３は、例えば図１２に示すように、映像番組を表示する映像領域１１１と、番組関連情報提供サーバ１から受信したメタデータを表示するメタデータ表示領域１１２（第１の情報表示領域）と、番組関連情報提供サーバ１から受信したメタデータであって、表示時間が当該メタデータの表示時間範囲外となるメタデータを表示する範囲外広告表示領域１１３（第２の情報表示領域）と、を有する。
【０１３１】
チューナ１０４は、放送局等から放送波で送信される映像番組の受信信号を選局、および、復調する。
【０１３２】
取得情報保持部１０５は、実施の形態１で説明した取得情報保持部２５と同じであるため説明を省略する。
【０１３３】
入力部１０６は、リモコン７４からの制御信号を受け付ける。入力部１０６は、例えばリモコン７４からの制御信号が赤外線信号である場合には、赤外線受光のフォトダイオード等で構成される。また、入力部は、リモコン７４からの制御信号が、無線電波の場合には受信アンテナ等で構成される。
【０１３４】
アンテナ１０７は、放送局から送信される映像番組の放送波を受信する受信素子である。
【０１３５】
［４−２．動作］
以上のように構成された番組関連情報提供システム４００について、その動作を以下説明する。
【０１３６】
図１３は、本実施の形態における番組関連情報提供システム１００を構成する番組関連情報提供サーバ１と、テレビ７３と、の間の処理の流れを示すシーケンス図である。
【０１３７】
まず、テレビ７３は、視聴者が視聴している映像番組を特定し、映像番組を特定する放送局および視聴時の日時情報（番組特定情報）に基づきユーザが視聴している映像番組の番組関連情報の要求（メタデータ要求）を番組関連情報提供サーバ１に送信する（Ｓ１３０１）。
【０１３８】
次に、番組関連情報提供サーバ１は、受信した番組特定情報（メタデータ）の要求に応答して、対応する番組関連情報（メタデータ）をテレビ７３に送信する（Ｓ１３０２）。
【０１３９】
次に、テレビ７３は受信した番組関連情報（メタデータ）を表示部１０３に表示する。なお、その際、表示部１０３の第１の情報表示領域と、第２の情報表示領域は、実施の形態１で説明した内容と同等であるので説明を省略する（Ｓ１３０３）。
【０１４０】
以降の処理は、Ｓ１３０１〜Ｓ１３０３を繰り返す動作であるので、説明を省略する。
【０１４１】
［４−３．効果等］
以上、本実施の形態によれば、視聴者（ユーザ）がテレビ７３で視聴している映像番組が進行し、テレビ７３で表示対象外となったメタデータであっても、視聴者は当該メタデータ（番組関連情報）を、テレビ７３の表示画面上で視聴することができる。これにより視聴者（ユーザ）は、映像番組に対応するメタデータを、映像番組中の表示時間以外でもテレビ７３で確認することができる。その際に、テレビ７３の表示時間中のメタデータはメタデータ表示領域１１２に表示され、表示時間以外のメタデータは範囲外広告表示領域１１３に表示される。それにより、視聴者は、表示時間が異なるメタデータを、同時にテレビ７３上で確認することができる。
【０１４２】
また、範囲外広告表示領域１１３に表示されるメタデータが広告情報である場合には、映像番組中に対応する表示日時以外でも広告情報を視聴者に表示することができるため、より効果的に広告としての効果を奏することができる。
【０１４３】
さらに本実施の形態では、視聴者（ユーザ）が視聴する映像と、メタデータを表示する第１の情報表示領域（メタデータ表示領域１１２）と、第２の情報表示領域（範囲外広告表示領域１１３）と、が同じ表示部の表示面内にあるので、視聴者はすべての情報を一つの画面で確認することができる。
【０１４４】
（他の実施の形態）
以上のように、本出願において開示する技術の例示として、実施の形態１〜４を説明した。しかしながら、本開示における技術は、これに限定されず、適宜、変更、置き換え、付加、省略などを行った実施の形態にも適用可能である。また、上記実施の形態１〜４で説明した各構成要素を組み合わせて、新たな実施の形態とすることも可能である。
【０１４５】
例えば、実施の形態１〜４では、取得部の一例として通信インタフェースを説明した。取得部は、ユーザが視聴している映像番組に関連する番組関連情報を取得するものであればよい。したがって、取得部は、通信インタフェースに限定されない。ただし、取得部として番組関連情報を取得することができれば、取得部を制御部の一機能として用いてもよい。
【０１４６】
また、以下のような場合も本開示に含まれる。
【０１４７】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１４８】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０１４９】
（３）上記の各装置を構成する構成要素の一部または全部は、各装置に脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールには、上記の超多機能ＬＳＩが含まれてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０１５０】
（４）本開示は、上記に示す方法で実現されてもよい。また、これらの方法をコンピュータにより実現するコンピュータプログラムで実現してもよいし、コンピュータプログラムからなるデジタル信号で実現してもよい。
【０１５１】
また、本開示は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したもので実現してもよい。また、これらの記録媒体に記録されているデジタル信号で実現してもよい。
【０１５２】
また、本開示は、コンピュータプログラムまたはデジタル信号を、電気通信回線、無線または有線通信回線、インターネットを代表とするネットワーク、データ放送等を経由して伝送してもよい。
【０１５３】
また、本開示は、マイクロプロセッサとメモリを備えたコンピュータシステムであって、メモリは、コンピュータプログラムを記憶しており、マイクロプロセッサは、コンピュータプログラムにしたがって動作してもよい。
【０１５４】
また、プログラムまたはデジタル信号を記録媒体に記録して移送することにより、またはプログラムまたはデジタル信号を、ネットワーク等を経由して移送することにより、独立した他のコンピュータシステムにより実施するとしてもよい。
【０１５５】
（５）上記実施の形態および上記変形例をそれぞれ組み合わせるとしてもよい。
【０１５６】
以上のように、本開示における技術の例示として、実施の形態を説明した。そのために、添付図面および詳細な説明を提供した。
【０１５７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５８】
また、上述の実施の形態は、本開示における技術を例示するためのものであるから、請求の範囲またはその均等の範囲において種々の変更、置き換え、付加、省略などを行うことができる。
【産業上の利用可能性】
【０１５９】
本開示は、映像番組に関連する情報の表示機会を向上させることができる情報表示装置に適用可能である。具体的には、テレビや携帯端末上に、視聴中のテレビ番組に関連する情報や広告を表示する番組連動情報提供システム等に本開示は適用できる。
【符号の説明】
【０１６０】
１  番組関連情報提供サーバ
２、４、６  携帯端末
３、７３  テレビ
７  ビデオレコーダ
１１  配信制御部
１２、２１、１０１  通信インタフェース
１３  番組関連情報データベース
２２、１０２  制御部
２３、１０３  表示部
２４、６１、８１  番組位置特定部
２５、１０５  取得情報保持部
３１、１１２  メタデータ表示領域
３２、１１３  範囲外広告表示領域
６２  マイク
７４  リモコン
１００、２００、３００、４００  番組関連情報提供システム
１０４  チューナ
１０６  入力部
１０７  アンテナ
１１１  映像領域
【図１Ａ】
2013121475.tif 000003
【図１Ｂ】
2013121475.tif 000004
【図２】
2013121475.tif 000005
【図３】
2013121475.tif 000006
【図４】
2013121475.tif 000007
【図５】
2013121475.tif 000008
【図６】
2013121475.tif 000009
【図７】
2013121475.tif 000010
【図８】
2013121475.tif 000011
【図９】
2013121475.tif 000012
【図１０】
2013121475.tif 000013
【図１１】
2013121475.tif 000014
【図１２】
2013121475.tif 000015
【図１３】
2013121475.tif 000016
【手続補正書】
【提出日】平成26年6月9日(2014.6.9)
【手続補正１】
【補正対象書類名】明細書
【補正対象項目名】全文
【補正方法】変更
【補正の内容】
【発明の詳細な説明】
【技術分野】
【０００１】
本発明は、視聴中のテレビ等の映像番組に関連する情報を表示するための情報表示装置およびその情報表示方法に関する。
【背景技術】
【０００２】
テレビ番組の出演者や内容に関する情報は、新聞や、ＥＰＧ（電子番組表、Ｅｌｅｃｔｒｏｎｉｃ  Ｐｒｏｇｒａｍ  Ｇｕｉｄｅ）によって提供されている。
【０００３】
特許文献１は、テレビ番組の出演者や内容に関する情報を、時系列に作成・配信することで、視聴中の番組と同期し、番組進行に合わせて携帯端末上に番組内容に関する情報を表示する技術を開示する。
【０００４】
また、特許文献２は、視聴中のテレビ番組のジャンルや、視聴している番組内に出てきたキーワードに紐付けられた広告を、携帯端末上に表示する技術を開示する。
【０００５】
これら技術により、視聴者の趣味や嗜好に合わせた広告配信を行うことができる。
【先行技術文献】
【特許文献】
【０００６】
【特許文献１】特開２０１１−９１６７５号公報
【特許文献２】特開２００９−３０３１２０号公報
【発明の概要】
【発明が解決しようとする課題】
【０００７】
本開示は、映像番組に関連する情報の表示機会を向上させる情報表示装置および情報表示方法を提供する。
【課題を解決するための手段】
【０００８】
本開示における情報表示装置は、ユーザが視聴している映像番組に関連する番組関連情報を取得する取得部と、第１の情報表示領域および第２の情報表示領域を有する表示部と、前記取得部により取得された番組関連情報の内、前記映像番組に連動した第１の番組関連情報を選択して前記第１の情報表示領域に表示させ、前記第１の番組関連情報として選択されない番組関連情報から第２の番組関連情報を選択して前記第２の情報表示領域に表示させる制御部と、を備える。
【発明の効果】
【０００９】
本開示における情報表示装置および情報表示方法は、映像番組に関連する情報の表示機会を向上させることができる。
【図面の簡単な説明】
【００１０】
【図１Ａ】図１Ａは、実施の形態１に係る番組関連情報提供システムの構成例を示す図である。
【図１Ｂ】図１Ｂは、実施の形態１に係る番組関連情報提供システムの詳細構成の一例を示す図である。
【図２】図２は、実施の形態１に係る番組関連情報の一例を示す図である。
【図３】図３は、携帯端末の表示部の構成例を示す図である。
【図４】図４は、実施の形態１における番組関連情報提供システムの機器間の処理の流れを示すシーケンス図である。
【図５】図５は、携帯端末の表示部に表示されるメタデータの表示例を示す図である。
【図６】図６は、携帯端末の表示部に表示されるメタデータの別の表示例を示す図である。
【図７】図７は、実施の形態２に係る番組関連情報提供システムの構成例を示す図である。
【図８】図８は、実施の形態２における番組関連情報提供システムの機器間の処理の流れを示すシーケンス図である。
【図９】図９は、実施の形態３に係る番組関連情報提供システムの構成例を示す図である。
【図１０】図１０は、実施の形態３における番組関連情報提供システムの機器間の処理の流れを示すシーケンス図である。
【図１１】図１１は、実施の形態４に係る番組関連情報提供システムの構成例を示す図である。
【図１２】図１２は、実施の形態４におけるテレビの表示部の構成例を示す図である。
【図１３】図１３は、実施の形態４における番組関連情報提供システムの機器間の処理の流れを示すシーケンス図である。
【発明を実施するための形態】
【００１１】
（本発明の一態様を得るに至った経緯）
特許文献１や特許文献２で開示される技術を用いることで、番組進行に合わせて携帯端末上に番組内容に関する情報や広告を順次表示することができるようになる。これにより、今見ていたシーンに関する情報を携帯端末上ですぐに見られる利点がある。
【００１２】
しかし、携帯端末等の表示パネルに表示できる情報量には限りがあるため、例えば映像番組の最初の方のシーンに関する情報は、携帯端末の表示画面からは表示されなくなってしまうことになる。提供される情報の量によっては、短時間でページアウトされる可能性もある。
【００１３】
特に表示される情報が広告の場合、視聴者に広告をできるだけ視聴して貰うため、できるだけ表示パネル等に表示され続けることを広告主は要望する。そのため、広告主は短時間で広告がページアウトされることは望まない。
【００１４】
また、視聴者が、番組を途中から見始めた場合には、番組の最初の方で表示されるはずだった広告が、一度も表示されないままになる可能性もある。また、広告に限らず、映像番組の冒頭部分で表示される関連情報が表示されない場合、視聴者は希望する情報を取得（視聴）することができなくなってしまう可能性もある。
【００１５】
そこで、以下の実施の形態では、テレビや携帯端末上に、視聴中の映像番組に関連する情報や広告を表示する番組関連情報提供システムにおいて、ユーザに対して映像番組に関連する情報や広告の表示機会を向上させる情報表示装置を開示する。
【００１６】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１７】
なお、発明者（ら）は、当業者が本開示を十分に理解するために添付図面および以下の説明を提供するのであって、これらによって請求の範囲に記載の主題を限定することを意図するものではない。
【００１８】
以下、本発明に係る実施の形態について、図面を参照しながら詳細に説明する。なお、同じ構成要素等には、同じ番号を付し、重複した説明を省略する。
【００１９】
（実施の形態１）
以下、図１Ａ〜図６を用いて、実施の形態１を説明する。
【００２０】
［１−１．構成］
図１Ａは、本実施の形態に係る番組関連情報提供システム１００のシステム構成例を示す図である。図１Ｂは、実施の形態１に係る番組関連情報提供システムの詳細構成の一例を示す図である。図２は、実施の形態１に係る番組関連情報の一例を示す図である。図３は、携帯端末２の表示部の構成例を示す図である。
【００２１】
番組関連情報提供システム１００は、番組関連情報提供サーバ１と、携帯端末２と、テレビ３と、を備える。
【００２２】
番組関連情報提供サーバ１は、視聴者がテレビ３で視聴している映像番組に関連する番組関連情報を携帯端末２に提供する。ここで、番組関連情報は、後述するように、映像番組の内容に関連する情報や、これらの情報とともに送信される広告情報などをいう。番組関連情報提供サーバ１は、図１Ｂに示すように、配信制御部１１と、通信インタフェース１２と、番組関連情報データベース１３と、を備える。
【００２３】
配信制御部１１は、通信インタフェース１２を通して携帯端末２から映像番組の番組関連情報の要求（メタデータ要求）を受信すると、要求された映像番組（例えば放送局および日時情報）に対応するアイテム（番組関連情報）のメタデータを、番組関連情報データベース１３で検索または取得する。配信制御部１１は、検索または取得したメタデータを、通信インタフェース１２を通して携帯端末２に送信する。なお、配信制御部１１は、要求された放送局および日時情報に該当するアイテム（当該映像番組に対応する番組関連情報）が複数個見つかった場合には、その全てを携帯端末２に送信する。
【００２４】
通信インタフェース１２は、例えばＬＡＮ（Ｌｏｃａｌ  Ａｒｅａ  Ｎｅｔｗｏｒｋ）インタフェースで、インターネットを通して携帯端末２と互いに通信することが可能である。
【００２５】
番組関連情報データベース１３は、例えば図２に示すように、映像番組に関連する番組関連情報（メタデータ）が保存されている。ここで、番組関連情報（メタデータ）には、それぞれ、メタデータのＩＤ（メタＩＤ）と、映像番組を配信する放送局と、このメタＩＤに関連する情報が映像番組で表示（登場）した日時（表示日時）と、この情報のカテゴリと、この情報の名前（タイトル）と、この情報についての説明文と、この情報に関する画像がある場合にはその画像のＵＲＬ（画像ＵＲＬ）と、さらに別のリンク先がある場合にはそのＵＲＬ（リンク先ＵＲＬ）と、等が含まれる。図２では、例えば、メタＩＤが０００１の番組関連情報には、放送局ＸＸ−ＴＶが放送する映像番組中の２０１２／１／１の１２：０５に表示される織田信長の情報であり、この織田信長の画像がｈｔｔｐ：／／ａａａ．ｃｏｍ／ａａａ．ｊｐｇに存在する旨が含まれている。
【００２６】
なお、映像番組に関連する番組関連情報（メタデータ）とは、映像番組で映像として表示される商品、人物、地域等の対象物だけでなく、映像番組で紹介されるニュース、事象、現象、サービス等の情報など、映像番組に含まれるあらゆる情報と関連する情報である。また、この番組関連情報（メタデータ）は、番組関連情報（メタデータ）を配信するサービスに映像番組と直接関連する広告情報だけでなく、映像番組と直接関連しないが、その映像番組中に配信される広告情報を含むものであってもよい。
【００２７】
例えば、図２に示す番組関連情報（メタデータ）では、カテゴリが「広告」となっているアイテムが、広告である。そして、この「広告」カテゴリにより、その「広告」カテゴリ以外の種類の情報と区別することができる。この「広告」カテゴリの番組関連情報の表示日時は、例えばテレビＣＭ（Ｃｏｍｍｅｒｃｉａｌ  Ｍｅｓｓａｇｅ）のように決まった時間に表示するようにしてもよいし、ある特定のアイテムと同時に表示されるようになっていてもよく、様々なバリエーションで決めることができる。
【００２８】
携帯端末２は、情報表示装置の一例であり、ユーザが視聴している映像番組（コンテンツ）に関連する番組関連情報を表示する。携帯端末２は、通信インタフェース２１と、制御部２２と、表示部２３と、番組位置特定部２４と、取得情報保持部２５と、を備える。
【００２９】
通信インタフェース２１は、番組関連情報提供サーバ１の通信インタフェース１２と同様に、ＬＡＮ等のインタフェースで、ネットワークを通じて番組関連情報提供サーバ１と通信する。
【００３０】
表示部２３は、例えば液晶画面で構成され、その表示領域は、図３に示すように液晶画面上にメタデータ表示領域３１（第１の情報表示領域）と、範囲外広告表示領域３２（第２の情報表示領域）と、を有している。また、図３では、メタデータ表示領域３１には例えば最大６個のメタデータを表示可能で、範囲外広告表示領域３２には例えば最大２個のメタデータ（広告）を表示可能である例が示されている。
【００３１】
制御部２２は、ユーザが視聴している映像番組に関連する番組関連情報を取得する。また、制御部２２は、通信インタフェース２１を通じて取得された番組関連情報の内、ユーザが視聴している映像番組に連動した第１の番組関連情報を選択して表示部２３の第１の情報表示領域に表示させる。また、制御部２２は、第１の番組関連情報として選択されない番組関連情報から第２の番組関連情報を選択して表示部２３の第２の情報表示領域に表示させる。そして、制御部２２は、映像番組に連動した新たな第１の番組関連情報を選択した場合には、新たな第１の番組関連情報を前記第１の情報表示領域に表示させることで、第１の情報表示領域の表示を更新する。
【００３２】
具体的には、制御部２２は、ユーザが視聴している映像番組の番組関連情報の要求（メタデータ要求）を、通信インタフェース２１を通して、番組関連情報提供サーバ１に送信する。ここで、メタデータ要求とは、例えば番組位置特定部２４が取得した放送局（配信元）と、この放送局の映像番組中におけるユーザが今視聴している映像番組の相対的な位置（映像番組全体における時間的な位置情報）と、取得した放送局の映像番組に含まれる情報に関連する情報の範囲を指定したものである。なお、映像番組中におけるユーザが今視聴している映像番組の相対的な位置は、例えば、取得済みメタデータの最も新しい表示時刻や現在時刻である。このように、要求される情報（メタデータ範囲）として、前回までに取得したメタデータから、今回取得するまでに更新されたメタデータが取得対象となる。
【００３３】
制御部２２は、番組関連情報提供サーバ１から応答としてユーザが視聴している映像番組に関連する番組関連情報（メタデータ）を、通信インタフェース２１を通して受信すると、取得情報保持部２５に保存する。
【００３４】
さらに、制御部２２は、表示部２３のメタデータ表示領域３１（第１の情報表示領域）に取得したメタデータ（第１の番組関連情報）を表示する。制御部２２は、例えばメタデータ表示領域３１（第１の情報表示領域）が、メタデータ（第１の番組関連情報）で埋め尽くされると、古いメタデータをページ送りやスクロールによって表示しないようにし、メタデータ表示領域３１（第１の情報表示領域）に逐次新しいメタデータ（第１の番組関連情報）を表示する。
【００３５】
番組位置特定部２４は、テレビ３と通信することで、現在、テレビ３でユーザに選局されて視聴されている映像番組を特定する情報（番組特定情報）を取得する。ここで、映像番組を特定する情報（番組特定情報）とは、例えば配信元（放送局）、映像番組の名称、視聴している映像番組が映像番組全体のどの部分（時間的位置）かを特定する時間情報等、テレビ３が実際に表示している映像番組を特定する情報である。なお、テレビ３との通信は、例えばＬＡＮ経由で行う。
【００３６】
取得情報保持部２５は、制御部２２により、通信インタフェース２１を通じて番組関連情報提供サーバ１から取得した番組関連情報（メタデータ）を記録または保持される。
【００３７】
テレビ３は、映像表示装置の一例であり、視聴者（ユーザ）が視聴する映像番組を表示する。なお、テレビ３で表示されるユーザが視聴する映像番組は、放送波で受信するもの、ビデオプレーヤで再生するもの、ケーブルＴＶで再生されるもの、等のいずれであってもよい。
【００３８】
［１−２．動作］
以上のように構成された番組関連情報提供システム１００について、その動作を以下説明する。
【００３９】
図４は、本実施の形態における番組関連情報提供システム１００を構成する番組関連情報提供サーバ１と携帯端末２とテレビ３との間の処理の流れを示すシーケンス図である。
【００４０】
まず、携帯端末２において、番組位置特定部２４は、例えば視聴中の放送局を示す情報など、視聴者がテレビ３で視聴している映像番組を特定する情報（番組特定情報）の送信を要求する信号を、テレビ３に送信する（Ｓ４０１）。
【００４１】
次に、テレビ３は、携帯端末２から要求された、視聴中の放送局を示す情報（例えば、放送局名等）など、表示中の映像番組の番組を特定する情報（番組特定情報）を返信する（Ｓ４０１）。
【００４２】
次に、携帯端末２は、テレビ３より番組特定情報を受信すると、受信した番組特定情報（映像番組を特定する放送局および視聴時の日時情報）に基づきユーザが視聴している映像番組の番組関連情報の要求（メタデータ要求）を、番組関連情報提供サーバ１に送信する（Ｓ４０３）。ここで、例えば、携帯端末２は、テレビ３より受信した番組特定情報に視聴時の日時情報を追加したものを番組特定情報として番組関連情報提供サーバ１に送信するとしてよい。
【００４３】
次に、番組関連情報提供サーバ１は、受信した番組特定情報（メタデータ）の要求に応答して、当該映像番組に関連する番組関連情報（メタデータ）を番組関連情報データベース１３で探索（検索または取得）し、探索した番組関連情報（メタデータ）を携帯端末２に送信する（Ｓ４０４）。
【００４４】
次に、携帯端末２は、番組関連情報提供サーバ１から受信した番組関連情報（メタデータ）を表示部２３に表示する（Ｓ４０５）。
【００４５】
以降の処理は、Ｓ４０１〜Ｓ４０５を繰り返す動作であるので、説明を省略する。なお、図４に示すシーケンスでは、同じ処理を周期的に実行する場合の例を示しているが、これに限定するものではない。例えば、周期的に行なわず、視聴者（ユーザ）が要望するタイミングでＳ４０１〜Ｓ４０５の処理を行うものであってもよい。
【００４６】
また、携帯端末２が、番組関連情報提供サーバ１に対し番組関連情報（メタデータ）を要求する動作は、テレビ３からの視聴中放送局の取得動作に連動して実施してもよいし、独立して実施してもよい。図４では、携帯端末２は、例えば、周期範囲を５分等の周期で番組関連情報（メタデータ）を要求している場合の例を示しているが、それに限られず、もっと長い範囲（周期）でも、短い範囲（周期）でもよく、また周期が毎回異なる長さであってもよい。
【００４７】
図５は、携帯端末２の表示部２３に表示されるメタデータの表示例を示す図である。図５では、例として、１２時０６分時点のメタデータの表示例を示している。なお、この時点（１２時０６分時点）で、携帯端末２は、図５の（ｂ）に示すようにメタＩＤが０００１から０００５の５個のメタデータ（番組関連情報）を取得している。そのため、表示部２３のメタデータ表示領域３１には、図５の（ｃ）に示すようにこれら５個のメタデータが表示されている。
【００４８】
また、図５に示す表示例では、１２時０６分時点で、携帯端末２がメタＩＤ０００１からメタＩＤ０００５の５個のメタデータしか取得していない。携帯端末２のメタデータ表示領域３１では最大６個のメタデータが表示可能であるので、携帯端末２は、取得したすべてのメタデータ（５個のメタデータ）についてメタデータ表示領域３１で表示が可能な状態である。なお、範囲外広告表示領域３２には、この時点ではいずれの情報も表示していない。
【００４９】
図６は、携帯端末２の表示部２３に表示されるメタデータの別の表示例を示す図である。
【００５０】
図６は、図５に示す表示例と異なる時間である１２時５４分時点のメタデータの表示例を示している。この時点（１２時５４分時点）で、携帯端末２は、図６の（ｂ）に示すようにメタＩＤが０００１から０００３７の３７個のメタデータ（番組関連情報）を取得している。
【００５１】
ただし、携帯端末２のメタデータ表示領域３１に表示できるメタデータは最大６個である。そのため、携帯端末２は、メタＩＤが０００１から０００３１までのメタデータは画面外にページアウトさせることで実質的に表示せず、図６の（ｃ）に示すようにメタＩＤが００３２から０００３７である６個のメタデータのみをメタデータ表示領域３１に表示している。つまり、携帯端末２のメタデータ表示領域３１では、映像番組の進行に合わせて、これまで表示していたメタデータは画面外にページアウトされて、映像番組の表示内容に連動したメタデータが表示される。
【００５２】
また、携帯端末２は、例えば図６の（ｃ）に示すように範囲外広告表示領域３２に、メタデータ表示領域３１に表示されない（ページアウトされている）メタデータを表示している。つまり、携帯端末２は、例えばメタデータ表示領域３１で表示対象外としているメタデータ０００１から００３１までのメタデータを、範囲外広告表示領域３２で表示する。本実施の形態では、表示部２３の範囲外広告表示領域３２は、特定のカテゴリとして「広告」を表示する領域として使用する場合を例にしている。具体的には、範囲外広告表示領域３２は、メタＩＤ０００１からメタＩＤ００３１の内、カテゴリが「広告」に該当するメタデータを表示する。なお、図２に示すメタデータ（番組関連情報）の例の場合には、メタＩＤ００２、０００５等が、範囲外広告表示領域３２で表示される特定のカテゴリ「広告」に該当する。
【００５３】
なお、範囲外広告表示領域３２に表示するメタデータの候補が範囲外広告表示領域３２で表示可能な個数以上にある場合も想定される。その場合には、携帯端末２は、それらメタデータ候補の中から、（１）ランダムに選択する、（２）メタＩＤの小さい番号から表示する、および（３）表示する候補となるメタデータを周期的に変える、等いずれの表示方法を採用してもよい。
【００５４】
つまり、範囲外広告表示領域３２に表示されるメタデータは、映像番組と連動している必要はないということである。範囲外広告表示領域３２には、例えば、メタデータ表示領域３１に過去に表示されたメタデータを一定間隔で表示するとしてもよいし、特定のカテゴリのメタデータを過去に表示した順番または過去の表示順序とはランダムに一定間隔で表示するとしてもよい。また、範囲外広告表示領域３２には、メタデータ表示領域３１に未だ表示されていないメタデータで、かつ、特定のカテゴリのメタデータをランダムに一定間隔で表示するとしてもよい。これらのように、範囲外広告表示領域３２には、メタデータ表示領域３１に表示された番組関連情報以外の番組関連情報から選択して表示されるとしてもよい。
【００５５】
なお、範囲外広告表示領域３２に表示される番組関連情報とメタデータ表示領域３１に表示された番組関連情報とは一部重複するとしてもよい。
【００５６】
また、携帯端末２は、範囲外広告表示領域３２に表示する特定のカテゴリ「広告」の内容は、取得情報保持部２５に保存しておいたメタデータを用いてもよい。また、携帯端末２は、テレビ３の映像番組の表示内容に連動させて（表示時に）、番組関連情報提供サーバ１から、範囲外広告表示領域３２に表示する特定のカテゴリ「広告」のメタデータを再度取得してもよい。なお、特定のカテゴリは、上記「広告」に限られない。例えば「緊急情報」などでもよい。
【００５７】
また、上記の説明ではメタデータ表示領域３１に最新の番組関連情報を表示し、範囲外広告表示領域３２にメタデータ表示領域３１に表示されない番組関連情報や広告情報を表示する場合について説明したが、本実施の形態はこの態様に限定されるものではない。
【００５８】
換言すると、制御部２２は、メタデータ表示領域３１には任意のメタデータを選択し、範囲外広告表示領域３２には、メタデータ表示領域３１に表示させないメタデータを選択するとしてもよい。例えば、制御部２２は、範囲外広告表示領域３２に表示可能なメタデータ（候補）の内、特定のカテゴリを有するメタデータのみを更に絞り込んで選択して表示させるとしてもよい。
【００５９】
また、制御部２２は、例えば、メタデータ表示領域３１に表示させるメタデータの内、最も早い（最も新しい）表示日時を有するメタデータよりもさらに早い（新しい）表示日時を有するメタデータを範囲外広告表示領域３２に表示させるとしてもよい。または、制御部２２は、メタデータ表示領域３１に表示させるメタデータの内、最も遅い（古い）表示日時を有するメタデータよりもさらに後の表示日時を有するメタデータを範囲外広告表示領域３２に表示させるとしてもよい。つまり、制御部２２は、範囲外広告表示領域３２に上述したような時間の要素を用いてメタデータを絞り込み（選択し）、範囲外広告表示領域３２に表示させるとしてもよい。
【００６０】
［１−３．効果等］
以上のように、本実施の形態において、情報表示装置（携帯端末２）は、ユーザが視聴している映像番組に関連する番組関連情報を外部機器から取得する取得部（通信インタフェース２１）と、第１の情報表示領域（メタデータ表示領域３１）および第２の情報表示領域（範囲外広告表示領域３２）を有する表示部（表示部２３）と、取得部により取得された番組関連情報の内、映像番組に連動した第１の番組関連情報を選択して第１の情報表示領域に表示させ、第１の番組関連情報として選択されない番組関連情報から第２の番組関連情報を選択して前記第２の情報表示領域に表示させる制御部（制御部２２）と、を備える。
【００６１】
これにより、映像番組に関連する情報の表示機会を向上させることができる情報表示装置を提供することができる。具体的には、この情報表示装置は、取得した番組関連情報のなかから選択した第１の番組関連情報を第１の情報表示領域に表示するとともに、第１の情報表示領域に表示されない番組関連情報については、第２の情報表示領域に表示することが可能となる。
【００６２】
また、番組関連情報のそれぞれは、当該番組関情報に関連する情報が映像番組で表示される日時を示す表示日時を有する。
【００６３】
ここで、制御部（制御部２２）は、取得部が取得した番組関連情報の内、所定の時間範囲に含まれる表示日時を有する番組関連情報から第１の番組関連情報を選択し、前記所定の時間範囲に含まれない表示日時の番組関連情報から第２の番組関連情報を選択するとしてもよい。
【００６４】
例えば、制御部は、第１の情報表示領域に表示させた番組関連情報の中で最も古い表示時間よりも前の表示時間を有する番組関連情報から、前記第２の番組関連情報を選択するとしてもよい。また、制御部は、第１の情報表示領域に表示させた番組関連情報の中で最も新しい表示時間よりも後の表示時間を有する番組関連情報から、第２の番組関連情報を選択するとしてもよい。
【００６５】
また、上記の所定の時間範囲は、情報表示装置（携帯端末２）の利用者が指定するものであってもよいし、第１の情報表示領域に表示される番組関連情報の中で最も早い（新しい）表示時間を所定時間範囲の開始時間とし、最も遅い（古い）表示時間を終了時刻とするものであってもよい。
【００６６】
より具体的には、制御部は、例えば、上記所定時間範囲の開始時間（表示時間）よりも前の表示時間を有する番組関連情報を第２の情報表示領域に表示させる番組関連情報として選択するものであってもよい。また、反対に制御部は、所定時間範囲の終了時間よりも後の表示時間を有する番組関連情報を第２の情報表示領域に表示させる番組関連情報として選択するものであってもよい。
【００６７】
また、制御部は、一度でも第１の情報表示領域に表示させた番組関連情報以外の番組関連情報から、前記第２の番組関連情報を選択するとしてもよい。例えば、制御部は、一度でも第１の情報表示領域に表示した番組関連情報については、少なくとも一度は「第１の表示領域に表示されたこと示す情報」を付加して、再度、取得情報保持部に記録する。そして、制御部は、第２の情報表示領域には、「第１の表示領域に表示されたこと示す情報」が付加されていない情報のみを表示するとしてもよい。
【００６８】
このように、第１の情報表示領域に表示される番組関連情報と、第２の情報表示領域に表示される番組関連情報と、はそれぞれの表示日時が異なるものとすることができる。これにより、利用者（ユーザ）は、同時に異なる表示日時を有する番組関連情報を同時に見ることができる。
【００６９】
また、制御部は、第１の番組関連情報として選択されない番組関連情報の内、特定のカテゴリの番組関連情報から、第２の番組関連情報を選択するとしてもよい。ここで、例えば、特定のカテゴリは、広告である。
【００７０】
これにより、映像番組に関連する広告の表示機会を向上させることができる。つまり、番組進行（ユーザ操作）により、現在第１の情報表示領域に表示されていない番組関連情報や広告も、適度にユーザの目に触れるように表示することが可能となる。
【００７１】
以上、本実施の形態によれば、視聴者（ユーザ）がテレビ３等で視聴している映像番組が進行し、携帯端末２が表示対象外としたメタデータであっても、視聴者（ユーザ）は当該メタデータ（番組関連情報）を、携帯端末２の表示画面上で視聴することができる。これにより視聴者（ユーザ）は、映像番組に対応するメタデータを、映像番組中の表示時間以外でも携帯端末２で確認することができる。その際に、テレビ３等の表示時間中に対応するメタデータはメタデータ表示領域３１に表示され、表示時間以外のメタデータは範囲外広告表示領域３２に表示される。それにより、視聴者は、表示時間が異なるメタデータを、同時に携帯端末２上で確認することができる。
【００７２】
ここで、範囲外広告表示領域３２に表示されるメタデータが広告情報である場合には、映像番組中に対応する表示日時以外でも広告情報を視聴者に表示することができるため、より効果的に広告としての効果を奏することができる。
【００７３】
なお、メタデータの内容は図２に示す番組関連情報の項目内容（パラメータ）に限らず、より多くのパラメータで構成されていてもよい。また、各パラメータの内容も図２に示す形式とは異なる他の形式で構成されていてもよい。
【００７４】
また、番組関連情報データベース１３において、テレビ番組に登場した様々なアイテム（情報）と、広告とを、図２に示すような一つのテーブルに混在させて保持する場合に限られない。上記アイテムと広告とをそれぞれ別のテーブルで保有するとしていてもよい。
【００７５】
また、上記説明では、配信制御部１１は、携帯端末２からメタデータを要求された放送局および日時情報に該当するアイテムが複数個見つかった場合には、その全てを携帯端末２に送信する場合の例を説明したが、それに限らず、該当するアイテムの一部のみを携帯端末２に送信するとしてもよい。これにより、例えば、ユーザの属性（性別や年齢など）や趣味嗜好に合わせて、携帯端末２に表示される情報を選別することができる。
【００７６】
また、表示部２３には、メタデータ表示領域３１および範囲外広告表示領域３２以外の表示内容を表示する表示領域を有していてもよい。
【００７７】
また、上記説明では、メタデータ表示領域３１には最大６個のメタデータを表示可能で、範囲外広告表示領域３２には最大２個のメタデータ（広告）を表示可能である場合の例を説明したが、それに限らない。メタデータ表示領域３１と範囲外広告表示領域３２に表示可能なメタデータの個数は任意に決めてもよい。
【００７８】
また、上記説明では、メタデータ表示領域３１に表示されない番組関連情報を範囲外広告表示領域３２に表示するとしたが、それに限らない。範囲外広告表示領域３２に表示する広告の選択方法は上記説明と異なっていても構わない。
【００７９】
例えば、現時点より将来に表示される予定の広告（すなわち、広告に設定された表示日時が、現在日時よりも後になっている）の中から選ぶとしてもよいし、まだ一度もメタデータ表示領域３１に表示されたことのない広告の中から選ぶとしてもよい。また、ユーザの操作により、メタデータ表示領域３１に過去に表示したメタデータを再度表示できるようになっていてもよい。例えば、表示部２３はタッチパネルになっており、ユーザのタッチ操作（いわゆるフリック操作）で、表示するメタデータが変わるようにする、などが考えられる。
【００８０】
また、携帯端末２とテレビ３との通信、および携帯端末２と番組関連情報提供サーバ１との通信は、携帯電話回線などのＬＡＮ経由以外の通信手段であっても構わない。
【００８１】
また、テレビ３の視聴内容やメタデータを表す情報として放送局を用いたが、例えば番組名や番組を識別するＩＤ情報であっても構わない。
【００８２】
また、メタデータの各アイテムの表示時刻（表示日時）は、日時ではなく、その番組の開始時刻からの相対経過時間（例えば、番組開始から５分２０秒の時点）であっても構わない。
【００８３】
また、テレビ３で視聴する番組は、地上デジタル放送やＢＳ（Ｂｒｏａｄｃａｓｔｉｎｇ  Ｓａｔｅｌｌｉｔｅ）放送など放送波、もしくはケーブル放送で提供される番組でもよいし、ビデオオンデマンドにより配信される番組であっても構わない。ビデオオンデマンドにより配信される番組の場合には、メタデータは、放送局と日時情報の代わりに、例えば番組のＩＤ情報と番組内の相対経過時間で識別すればよい。
【００８４】
（実施の形態２）
以下、図７および図８を用いて、実施の形態１で説明した番組関連情報提供システムと異なる例を、実施の形態２として説明する。
【００８５】
［２−１．構成］
図７は、本実施の形態に係る番組関連情報提供システム２００の構成例を示す図である。図７に示す番組関連情報提供システム２００は、番組関連情報提供サーバ１と、テレビ３と、携帯端末４と、を備える。
【００８６】
図７に示す番組関連情報提供システム２００と、実施の形態１で説明した番組関連情報提供システム１００とは、携帯端末４において、視聴者がテレビ３で視聴している映像番組を特定する方法が異なる。以下の説明では、実施の形態１と相違する点を中心に説明し、実施の形態１と同じ部分については同一番号を付し、説明を省略する。
【００８７】
番組関連情報提供サーバ１と、テレビ３とは実施の形態１と同じであるので説明を省略する。
【００８８】
携帯端末４は、情報表示装置の一例であり、ユーザが視聴している映像番組（コンテンツ）に関連する番組関連情報を表示する。携帯端末４は、通信インタフェース２１と、制御部２２と、表示部２３と、取得情報保持部２５と、番組位置特定部６１と、マイク６２と、を備える。なお、通信インタフェース２１と、表示部２３と、取得情報保持部２５と、は実施の形態１の携帯端末２の構成と同じであるので説明を省略する。
【００８９】
番組位置特定部６１は、番組特定部の一例であり、マイク６２が取得した音声から映像番組を特定する。
【００９０】
換言すると、番組位置特定部６１は、マイク６２を通して、テレビ３が映像番組を表示するのとともに出力する音声を取得し、処理する。具体的には、番組位置特定部６１は、例えば、取得した音声信号から一意に決定される値（例えば、ハッシュ値等）を算出し、その値に基づいて、テレビ３が表示する映像番組の配信元、番組名、番組中の表示時間等を特定する。ここで、一意に決定される値から、番組名等を特定するのは、番組位置特定部６１自身が実施しても構わないし、外部解析用サーバに算出した値等を送信し、外部解析用サーバで特定した番組名等を受信するようになっていてもよい。
【００９１】
なお、本実施の形態での番組名等の特定方法は、上記の方法に限定するものではない。テレビ３が出力する音声から映像番組等を特定することができればよい。
【００９２】
マイク６２は、映像番組を表示するテレビ３が出力する音声を取得する。具体的には、マイク６２は、テレビ３が出力する音声を取得して電気信号に変換する。マイク６２は、変換した音声電気信号を、上述の番組位置特定部６１に出力する。
【００９３】
制御部２２は、実施の形態１に示す制御部２２と実質的に同様である。例えば、制御部２２は、ユーザが視聴している映像番組の番組関連情報の要求（メタデータ要求）を、通信インタフェース２１を通して、番組関連情報提供サーバ１に送信する。そして、制御部２２は、ユーザが視聴している映像番組に関連する番組関連情報を取得する。ここで、メタデータ要求とは、例えば番組位置特定部６１が特定した放送局と、時間で指定する欲しいメタデータの範囲（ユーザが視聴している映像番組の映像番組全体における時間位置）とが指定されている。制御部２２は、このようなメタデータ要求を、通信インタフェース２１を通して、番組関連情報提供サーバ１に送信する。
【００９４】
このように制御部２２は、実施の形態１に示す制御部２２と実質的に同様であるので、その他の説明は省略する。
【００９５】
［２−２．動作］
以上のように構成された番組関連情報提供システム２００について、その動作を以下説明する。
【００９６】
図８は、本実施の形態における番組関連情報提供システム２００を構成する番組関連情報提供サーバ１とテレビ３と携帯端末４との間の処理の流れを示すシーケンス図である。図８に示す処理と、実施の形態１で説明した図４に示す処理との相違点は、視聴中の番組を特定するまでの処理の部分である。番組特定後の処理（Ｓ４０３〜Ｓ４０５）は図４のＳ４０３〜Ｓ４０５と同じであるので、説明を省略する。
【００９７】
まず、テレビ３は、視聴者（ユーザ）が視聴中の映像番組の映像を表示部２３に表示するとともに、その映像番組の音声をスピーカ（図示せず）から出力する（Ｓ８０１）。
【００９８】
次に、携帯端末４のマイク６２は、テレビ３が出力する音声を取得して電気信号に変換する。マイク６２は、変換した音声電気信号を番組位置特定部６１に出力する。番組位置特定部６１は、入力された音声電気信号から配信元、番組名、番組中における時間等などで映像番組を特定する（Ｓ８０２）。なお、この特定方法は、上記の通り音声信号に基づくものであれば、上記の例（配信元、番組名、番組中における時間）に限らない。
【００９９】
以降の処理（Ｓ４０３〜Ｓ４０５）は、図４と同様であるので説明を省略する。
【０１００】
なお、携帯端末４は、Ｓ８０１〜Ｓ８０２とＳ４０４〜Ｓ４０５との処理を一定時間間隔、又は、必要に応じて、繰り返す。
【０１０１】
［２−３．効果等］
以上、本実施の形態によれば、視聴者（ユーザ）がテレビ３等で視聴している映像番組が進行し、携帯端末４が表示対象外としたメタデータであっても、視聴者（ユーザ）は当該メタデータ（番組関連情報）を、携帯端末４の表示画面上で視聴することができる。これにより視聴者（ユーザ）は、映像番組に対応するメタデータを、映像番組中の表示時間以外でも携帯端末４で確認することができる。その際に、テレビ３等の表示時間中に対応するメタデータはメタデータ表示領域３１に表示され、表示時間以外のメタデータは範囲外広告表示領域３２に表示される。それにより、視聴者は、表示時間が異なるメタデータを、同時に携帯端末２上で確認することができる。
【０１０２】
また、範囲外広告表示領域３２に表示されるメタデータが広告情報である場合には、映像番組中に対応する表示日時以外でも広告情報を視聴者に表示することができるため、より効果的に広告としての効果を奏することができる。
【０１０３】
また、本実施の形態では、携帯端末４がテレビ３で表示している映像番組を実施の携帯１で説明した方法と異なる方法で特定する。すなわち、本実施の形態では、テレビ３から出力される音声信号に基づいて番組を特定する。それにより、テレビ３側には携帯端末４に映像番組を特定するための情報を送信するための通信機能が不要となり、視聴者は、通信機能を備えないテレビを用いた場合でも、テレビでの映像番組の表示と並行して、携帯端末４で番組関連情報を確認することができる。
【０１０４】
（実施の形態３）
以下、図９および図１０を用いて、実施の形態１および２で説明した番組関連情報提供システムと異なる例を、実施の形態３として説明する。
【０１０５】
［３−１．構成］
図９は、本実施の形態に係る番組関連情報提供システム３００の構成例を示す図である。図９に示す番組関連情報提供システム３００は、番組関連情報提供サーバ１と、テレビ３と、携帯端末６と、ビデオレコーダ７と、を備える。
【０１０６】
図９に示す番組関連情報提供システム３００と、実施の形態１で説明した番組関連情報提供システム１００との相違点は、新たにビデオレコーダ７を備え、携帯端末６が、ビデオレコーダ７と通信することで、テレビ３が表示している映像番組を特定する点である。以下の説明では、実施の形態１と相違する点を中心に説明し、実施の形態１と同じ部分については同一番号を付し、説明を省略する。
【０１０７】
番組関連情報提供サーバ１と、テレビ３と、は実施の形態１と同じであるので説明を省略する。
【０１０８】
携帯端末６は、情報表示装置の一例であり、ユーザが視聴している映像番組（コンテンツ）に関連する番組関連情報を表示する。携帯端末６は、通信インタフェース２１と、制御部２２と、表示部２３と、取得情報保持部２５と、番組位置特定部８１と、を備える。なお、通信インタフェース２１と、表示部２３と、取得情報保持部２５と、は実施の形態１（図１Ｂ）で説明した携帯端末２と同じであるので説明を省略する。
【０１０９】
制御部２２は、ユーザが視聴している映像番組の番組関連情報の要求（メタデータ要求）を、通信インタフェース２１を通して、番組関連情報提供サーバ１に送信する。ここで、メタデータ要求には、例えば番組位置特定部８１が特定した放送局や、特定した放送局の映像番組に含まれる情報に関連する情報の範囲（メタデータの範囲）が指定されている。
【０１１０】
番組位置特定部８１は、番組特定部の一例であり、映像番組を再生するビデオレコーダ７と通信することで、ビデオレコーダ７が表示する映像番組を特定する情報（番組特定情報）を取得する。具体的には、番組位置特定部８１は、ビデオレコーダ７と通信することで、ビデオレコーダ７で再生している番組の放送局、番組の開始日時、および現在の再生位置がどこかなどを含む映像番組を特定する情報（番組特定情報）を取得する。ビデオレコーダ７との通信は、例えばＬＡＮ経由で行う。
【０１１１】
ビデオレコーダ７は、映像再生装置の一例であり、録画済の映像番組を再生する。再生される映像番組はテレビ３で表示される。
【０１１２】
［３−２．動作］
以上のように構成された番組関連情報提供システム３００について、その動作を以下説明する。
【０１１３】
図１０は、本実施の形態における番組関連情報提供システム３００を構成する番組関連情報提供サーバ１と、携帯端末６と、ビデオレコーダ７との間の処理の流れを示すシーケンス図である。図１０に示す処理と実施の形態１で説明した図４に示す処理との相違点は、携帯端末６が通信する相手がテレビ３からビデオレコーダ７に変わっている点である。
【０１１４】
まず、携帯端末６の番組位置特定部８１は、ビデオレコーダ７に視聴者が視聴している再生中の映像番組を特定する情報（番組特定情報）を送信要求する信号を送信する（Ｓ１００１）。
【０１１５】
次に、ビデオレコーダ７は、携帯端末６からの要求に応答して、例えば放送局などの情報を含む再生中の映像番組の番組を特定する番組特定情報を番組位置特定部８１に返信する（Ｓ１００２）。
【０１１６】
以降の処理（Ｓ４０３からＳ４０５）は、実施の形態１（図４）で説明した処理と同じであるので説明を省略する。
【０１１７】
［３−３．効果等］
以上、本実施の形態によれば、視聴者（ユーザ）がビデオレコーダ７で再生、テレビ３等で視聴している映像番組が進行し、携帯端末６が表示対象外としたメタデータであっても、視聴者（ユーザ）は当該メタデータ（番組関連情報）を、携帯端末６の表示画面上で視聴することができる。これにより視聴者（ユーザ）は、映像番組に対応するメタデータを、映像番組中の表示時間以外でも携帯端末６で確認することができる。その際に、ビデオレコーダ７で再生されテレビ３で表示されている表示時間中のメタデータはメタデータ表示領域３１に表示され、表示時間以外のメタデータは範囲外広告表示領域３２に表示される。それにより、視聴者は、表示時間が異なるメタデータを、同時に携帯端末６上で確認することができる。
【０１１８】
また、範囲外広告表示領域３２に表示されるメタデータが広告情報である場合には、映像番組中に対応する表示日時以外でも広告情報を視聴者に表示することができるため、より効果的に広告としての効果を奏することができる。
【０１１９】
なお、本実施の形態では、ビデオレコーダを一例として説明したがそれに限らない。ビデオレコーダの代わりに、ＤＶＤ（Ｄｉｇｉｔａｌ  Ｖｅｒｓａｔｉｌｅ  Ｄｉｓｋ）レコーダやＢＤ（Ｂｌｕ−ｒａｙ（登録商標）  Ｄｉｓｃ）レコーダ、もしくはＳＴＢ（Ｓｅｔ  Ｔｏｐ  Ｂｏｘ）など他の再生装置であってもよい。再生中の番組が何かと、どの位置を再生しているかの情報を、携帯端末６が取得できるものであれば再生装置の形態は問わない。
【０１２０】
また、携帯端末６とビデオレコーダ７との通信は、ＬＡＮ経由以外の通信手段であっても構わない。
【０１２１】
（実施の形態４）
以下、図１１〜図１３を用いて、実施の形態１で説明した番組関連情報提供システムと異なる例を、実施の形態４として説明する。
【０１２２】
［４−１．構成］
図１１は、本実施の形態における番組関連情報提供システム４００の構成例を示す図である。図１２は、本実施の形態におけるテレビの表示部の構成例を示す図である。
【０１２３】
図１１に示す番組関連情報提供システム４００は、番組関連情報提供サーバ１と、テレビ７３と、リモコン７４と、を備える。
【０１２４】
図１１に示す番組関連情報提供システム４００と、実施の形態１で説明した番組関連情報提供システム１００との相違点は、テレビ７３が、実施の形態１等で説明した携帯端末の機能も備えている点である。以下の説明では、実施の形態１と相違する点を中心に説明し、実施の形態１と同じ部分については同一番号を付し、説明を省略する。
【０１２５】
番組関連情報提供サーバ１は、実施の形態１と同じであるので説明を省略する。
【０１２６】
テレビ７３は、通信インタフェース１０１と、制御部１０２と、表示部１０３と、チューナ１０４と、取得情報保持部１０５と、入力部１０６と、アンテナ１０７と、を備える。
【０１２７】
通信インタフェース１０１は、番組関連情報提供サーバ１と通信を行い、番組関連情報提供サーバへテレビ７３が表示する映像番組の配信元、番組名、表示時間等を送信する。通信インタフェース１０１は、番組関連情報提供サーバから映像番組のメタデータ等を受信する。
【０１２８】
制御部１０２は、テレビ７３全体を制御するとともに、実施の形態１で説明した制御部２２（図２）と同じ制御を行なう。制御部１０２が制御部２２と異なるのは、制御部２２がテレビ７３で表示している映像番組を特定し、それ（映像番組を特定した番組特定情報）を、通信インタフェース１０１を介して番組関連情報提供サーバ１へ送信する点である。
【０１２９】
表示部１０３は、上述した第１の情報表示領域および第２の情報表示領域を有するだけでなく、さらに、映像番組を表示する映像番組表示領域を有する。具体的には、表示部１０３は、視聴者（ユーザ）に表示する映像番組とともに、番組関連情報提供サーバ１から受信したメタデータ等の表示も行なう。
【０１３０】
表示部１０３は、例えば図１２に示すように、映像番組を表示する映像領域１１１と、番組関連情報提供サーバ１から受信したメタデータを表示するメタデータ表示領域１１２（第１の情報表示領域）と、番組関連情報提供サーバ１から受信したメタデータであって、表示時間が当該メタデータの表示時間範囲外となるメタデータを表示する範囲外広告表示領域１１３（第２の情報表示領域）と、を有する。
【０１３１】
チューナ１０４は、放送局等から放送波で送信される映像番組の受信信号を選局、および、復調する。
【０１３２】
取得情報保持部１０５は、実施の形態１で説明した取得情報保持部２５と同じであるため説明を省略する。
【０１３３】
入力部１０６は、リモコン７４からの制御信号を受け付ける。入力部１０６は、例えばリモコン７４からの制御信号が赤外線信号である場合には、赤外線受光のフォトダイオード等で構成される。また、入力部は、リモコン７４からの制御信号が、無線電波の場合には受信アンテナ等で構成される。
【０１３４】
アンテナ１０７は、放送局から送信される映像番組の放送波を受信する受信素子である。
【０１３５】
［４−２．動作］
以上のように構成された番組関連情報提供システム４００について、その動作を以下説明する。
【０１３６】
図１３は、本実施の形態における番組関連情報提供システム１００を構成する番組関連情報提供サーバ１と、テレビ７３と、の間の処理の流れを示すシーケンス図である。
【０１３７】
まず、テレビ７３は、視聴者が視聴している映像番組を特定し、映像番組を特定する放送局および視聴時の日時情報（番組特定情報）に基づきユーザが視聴している映像番組の番組関連情報の要求（メタデータ要求）を番組関連情報提供サーバ１に送信する（Ｓ１３０１）。
【０１３８】
次に、番組関連情報提供サーバ１は、受信した番組特定情報（メタデータ）の要求に応答して、対応する番組関連情報（メタデータ）をテレビ７３に送信する（Ｓ１３０２）。
【０１３９】
次に、テレビ７３は受信した番組関連情報（メタデータ）を表示部１０３に表示する。なお、その際、表示部１０３の第１の情報表示領域と、第２の情報表示領域は、実施の形態１で説明した内容と同等であるので説明を省略する（Ｓ１３０３）。
【０１４０】
以降の処理は、Ｓ１３０１〜Ｓ１３０３を繰り返す動作であるので、説明を省略する。
【０１４１】
［４−３．効果等］
以上、本実施の形態によれば、視聴者（ユーザ）がテレビ７３で視聴している映像番組が進行し、テレビ７３で表示対象外となったメタデータであっても、視聴者は当該メタデータ（番組関連情報）を、テレビ７３の表示画面上で視聴することができる。これにより視聴者（ユーザ）は、映像番組に対応するメタデータを、映像番組中の表示時間以外でもテレビ７３で確認することができる。その際に、テレビ７３の表示時間中のメタデータはメタデータ表示領域１１２に表示され、表示時間以外のメタデータは範囲外広告表示領域１１３に表示される。それにより、視聴者は、表示時間が異なるメタデータを、同時にテレビ７３上で確認することができる。
【０１４２】
また、範囲外広告表示領域１１３に表示されるメタデータが広告情報である場合には、映像番組中に対応する表示日時以外でも広告情報を視聴者に表示することができるため、より効果的に広告としての効果を奏することができる。
【０１４３】
さらに本実施の形態では、視聴者（ユーザ）が視聴する映像と、メタデータを表示する第１の情報表示領域（メタデータ表示領域１１２）と、第２の情報表示領域（範囲外広告表示領域１１３）と、が同じ表示部の表示面内にあるので、視聴者はすべての情報を一つの画面で確認することができる。
【０１４４】
（他の実施の形態）
以上のように、本出願において開示する技術の例示として、実施の形態１〜４を説明した。しかしながら、本開示における技術は、これに限定されず、適宜、変更、置き換え、付加、省略などを行った実施の形態にも適用可能である。また、上記実施の形態１〜４で説明した各構成要素を組み合わせて、新たな実施の形態とすることも可能である。
【０１４５】
例えば、実施の形態１〜４では、取得部の一例として通信インタフェースを説明した。取得部は、ユーザが視聴している映像番組に関連する番組関連情報を取得するものであればよい。したがって、取得部は、通信インタフェースに限定されない。ただし、取得部として番組関連情報を取得することができれば、取得部を制御部の一機能として用いてもよい。
【０１４６】
また、以下のような場合も本開示に含まれる。
【０１４７】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１４８】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０１４９】
（３）上記の各装置を構成する構成要素の一部または全部は、各装置に脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールには、上記の超多機能ＬＳＩが含まれてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０１５０】
（４）本開示は、上記に示す方法で実現されてもよい。また、これらの方法をコンピュータにより実現するコンピュータプログラムで実現してもよいし、コンピュータプログラムからなるデジタル信号で実現してもよい。
【０１５１】
また、本開示は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したもので実現してもよい。また、これらの記録媒体に記録されているデジタル信号で実現してもよい。
【０１５２】
また、本開示は、コンピュータプログラムまたはデジタル信号を、電気通信回線、無線または有線通信回線、インターネットを代表とするネットワーク、データ放送等を経由して伝送してもよい。
【０１５３】
また、本開示は、マイクロプロセッサとメモリを備えたコンピュータシステムであって、メモリは、コンピュータプログラムを記憶しており、マイクロプロセッサは、コンピュータプログラムにしたがって動作してもよい。
【０１５４】
また、プログラムまたはデジタル信号を記録媒体に記録して移送することにより、またはプログラムまたはデジタル信号を、ネットワーク等を経由して移送することにより、独立した他のコンピュータシステムにより実施するとしてもよい。
【０１５５】
（５）上記実施の形態および上記変形例をそれぞれ組み合わせるとしてもよい。
【０１５６】
以上のように、本開示における技術の例示として、実施の形態を説明した。そのために、添付図面および詳細な説明を提供した。
【０１５７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５８】
また、上述の実施の形態は、本開示における技術を例示するためのものであるから、請求の範囲またはその均等の範囲において種々の変更、置き換え、付加、省略などを行うことができる。
【産業上の利用可能性】
【０１５９】
本開示は、映像番組に関連する情報の表示機会を向上させることができる情報表示装置に適用可能である。具体的には、テレビや携帯端末上に、視聴中のテレビ番組に関連する情報や広告を表示する番組連動情報提供システム等に本開示は適用できる。
【符号の説明】
【０１６０】
１  番組関連情報提供サーバ
２、４、６  携帯端末
３、７３  テレビ
７  ビデオレコーダ
１１  配信制御部
１２、２１、１０１  通信インタフェース
１３  番組関連情報データベース
２２、１０２  制御部
２３、１０３  表示部
２４、６１、８１  番組位置特定部
２５、１０５  取得情報保持部
３１、１１２  メタデータ表示領域
３２、１１３  範囲外広告表示領域
６２  マイク
７４  リモコン
１００、２００、３００、４００  番組関連情報提供システム
１０４  チューナ
１０６  入力部
１０７  アンテナ
１１１  映像領域
【手続補正２】
【補正対象書類名】特許請求の範囲
【補正対象項目名】全文
【補正方法】変更
【補正の内容】
【特許請求の範囲】
【請求項１】
ユーザが視聴している映像番組に関連する番組関連情報を取得する取得部と、
第１の情報表示領域および第２の情報表示領域を有する表示部と、
前記取得部により取得された番組関連情報の内、前記映像番組に連動した第１の番組関連情報を選択して前記第１の情報表示領域に表示させ、前記第１の番組関連情報として選択されない番組関連情報から第２の番組関連情報を選択して前記第２の情報表示領域に表示させる制御部と、を備える、
情報表示装置。
【請求項２】
前記制御部は、前記映像番組に連動して新たな第１の番組関連情報を選択した場合には、前記新たな第１の番組関連情報を前記第１の情報表示領域に表示させることで、前記第１の情報表示領域の表示を更新する、
請求項１に記載の情報表示装置。
【請求項３】
前記番組関連情報のそれぞれは、当該番組関連情報に関連する情報が前記映像番組で表示される日時を示す表示日時を有し、
前記制御部は、少なくとも前記表示日時を用いて、前記第１の番組関連情報と前記第２の番組関連情報とを選択する、
請求項１または２に記載の情報表示装置。
【請求項４】
前記制御部は、前記取得部が取得した番組関連情報の内、所定の時間範囲に含まれる表示日時を有する番組関連情報から前記第１の番組関連情報を選択し、前記所定の時間範囲に含まれない表示日時の番組関連情報から前記第２の番組関連情報を選択する、
請求項３に記載の情報表示装置。
【請求項５】
前記制御部は、前記第１の番組関連情報として選択されない番組関連情報の内、特定のカテゴリの番組関連情報から、前記第２の番組関連情報を選択する、
請求項１〜３のいずれか１項に記載の情報表示装置。
【請求項６】
前記特定のカテゴリは、広告である、
請求項５に記載の情報表示装置。
【請求項７】
前記制御部は、前記第１の情報表示領域に表示させた番組関連情報の中で最も古い表示時間よりも前の表示時間を有する番組関連情報から、前記第２の番組関連情報を選択する、
請求項３に記載の情報表示装置。
【請求項８】
前記制御部は、前記第１の情報表示領域に表示させた番組関連情報の中で最も新しい表示時間よりも後の表示時間を有する番組関連情報から、前記第２の番組関連情報を選択する、
請求項３に記載の情報表示装置。
【請求項９】
前記制御部は、一度でも第１の情報表示領域に表示させた番組関連情報以外の番組関連情報から、前記第２の番組関連情報を選択する、
請求項１〜３のいずれか１項に記載の情報表示装置。
【請求項１０】
前記情報表示装置は、さらに、
前記映像番組を表示する映像表示装置と通信することで、前記映像表示装置が表示する映像番組を特定する情報を取得する番組特定部を備え、
前記取得部は、前記番組特定部により取得された情報に基づいて、前記映像番組に関連する番組関連情報を取得する、
請求項１〜９のいずれか１項に記載の情報表示装置。
【請求項１１】
前記情報表示装置は、さらに、
前記映像番組を再生する映像再生装置と通信することで、前記映像再生装置が表示する映像番組を特定する情報を取得する番組特定部を備え、
前記取得部は、前記番組特定部により取得された情報に基づいて、前記映像番組に関連する番組関連情報を取得する、
請求項１〜９のいずれか１項に記載の情報表示装置。
【請求項１２】
前記情報表示装置は、さらに、
前記映像番組を表示する映像表示装置が出力する音声を取得するマイクと、
前記マイクが取得した音声から前記映像番組を特定する番組特定部と、を備え、
前記取得部は、前記番組特定部により特定された映像番組に関連する番組関連情報を取得する、
請求項１〜９のいずれか１項に記載の情報表示装置。
【請求項１３】
前記映像番組を特定する情報は、前記映像番組の名称、および、前記ユーザが視聴している映像番組の映像番組全体における時間位置を含む、
請求項１０または１１に記載の情報表示装置。
【請求項１４】
前記表示部は、さらに、前記映像番組を表示する映像番組表示領域を有する、
請求項１〜９のいずれか１項に記載の情報表示装置。
【請求項１５】
ユーザが視聴している映像番組に関連する番組関連情報を取得する取得ステップと、
前記取得ステップにおいて取得された番組関連情報の内、前記映像番組に連動した第１の番組関連情報を選択して表示部の第１の情報表示領域に表示させ、前記第１の番組関連情報として選択されない番組関連情報から第２の番組関連情報を選択して前記表示部の第２の情報表示領域に表示させる制御ステップと、を含む、
情報表示方法。
【手続補正３】
【補正対象書類名】図面
【補正対象項目名】全図
【補正方法】変更
【補正の内容】
【図１Ａ】
2013121475.tif 000017
【図１Ｂ】
2013121475.tif 000018
【図２】
2013121475.tif 000019
【図３】
2013121475.tif 000020
【図４】
2013121475.tif 000021
【図５】
2013121475.tif 000022
【図６】
2013121475.tif 000023
【図７】
2013121475.tif 000024
【図８】
2013121475.tif 000025
【図９】
2013121475.tif 000026
【図１０】
2013121475.tif 000027
【図１１】
2013121475.tif 000028
【図１２】
2013121475.tif 000029
【図１３】
2013121475.tif 000030
【国際調査報告】
2013121475.tif 000031
2013121475.tif 000032
2013121475.tif 000033